(57)【要約】有機発光表示装置は、(1)第１サブ表示領域、及び、第１サブ表示領域の第１側部に位置する第２サブ表示領域を含む表示領域、及び、第１サブ表示領域における第１側部とは異なる第２側部に位置するパッド領域を有する基板、(2)基板上の第２サブ表示領域に配置される複数の右側信号配線、(3)右側信号配線の上の、パッド領域、第１サブ表示領域及び第２サブ表示領域に配置され、折曲部を各々含む複数の右側ファン−アウト配線、(4)右側信号配線の上の、第１及び第２サブ表示領域に配置され、右側ファン−アウト配線と離隔して配置され、格子形状を有する複数のダミーパターン、及び(5)ダミーパターンの上に配置される複数のサブ画素構造物を含むことができる。これによって、有機発光表示装置の視認性が相対的に向上できる。
2022500684.tif 000002
【特許請求の範囲】
【請求項１】
第１サブ表示領域、及び、前記第１サブ表示領域の第１側部に位置する第２サブ表示領域を含む表示領域、及び、前記第１サブ表示領域における、前記第１側部とは異なる第２側部に位置するパッド領域を有する基板と、
前記基板上の前記第２サブ表示領域に配置される複数の右側信号配線と、
前記右側信号配線の上の、前記パッド領域、前記第１サブ表示領域、及び前記第２サブ表示領域に配置され、折曲部を各々含む複数の右側ファン−アウト配線と、
前記右側信号配線の上の、前記第１及び第２サブ表示領域に配置され、前記右側ファン−アウト配線と離隔して配置され、格子形状を有する複数のダミーパターンと、
前記ダミーパターンの上に配置される複数のサブ画素構造物とを含む有機発光表示装置。
【請求項２】
前記右側ファン−アウト配線の各々は、
前記パッド領域及び前記第１サブ表示領域に配置され、第１方向に沿って延長する縦延長部と、
前記第１表示領域に位置する前記縦延長部の第１端部から、前記第１方向と直交する第２方向に沿って延長する横延長部とを含むことを特徴とする、請求項１に記載の有機発光表示装置。
【請求項３】
前記縦延長部の第２端部は前記パッド領域に位置し、前記縦延長部における前記第２端部とは逆の前記第１端部は、前記横延長部の第１端部と連結されることを特徴とする、請求項２に記載の有機発光表示装置。
【請求項４】
前記横延長部における前記第１端部とは逆の第２端部は、前記複数の右側信号配線のうちの１つの右側信号配線と、コンタクトホールを通じて連結されることを特徴とする、請求項３に記載の有機発光表示装置。
【請求項５】
前記縦延長部の前記第１端部と、横延長部の前記第１端部とにより、前記折曲部が構成されることを特徴とする、請求項４に記載の有機発光表示装置。
【請求項６】
前記縦延長部と前記横延長部とは一体に形成されることを特徴とする、請求項２に記載の有機発光表示装置。
【請求項７】
前記右側ファン−アウト配線の各々は、
前記横延長部の第２端部から前記第１方向とは逆の第４方向に沿って延長するサブ縦延長部をさらに含むことを特徴とする、請求項２に記載の有機発光表示装置。
【請求項８】
前記横延長部の第１端部は前記縦延長部と連結され、前記横延長部の前記第１端部とは逆の前記第２端部は、前記サブ縦延長部の前記第１端部と連結されることを特徴とする、請求項７に記載の有機発光表示装置。
【請求項９】
前記サブ縦延長部の第１端部とは逆の第２端部は、前記複数の右側信号配線のうちの１つの右側信号配線と、コンタクトホールを通じて連結されることを特徴とする、請求項８に記載の有機発光表示装置。
【請求項１０】
前記縦延長部の第１端部と横延長部の第１端部、及び、前記横延長部の第２端部と前記サブ縦延長部の第１端部により、前記折曲部が構成されることを特徴とする、請求項９に記載の有機発光表示装置。
【請求項１１】
前記縦延長部、前記横延長部、及び前記サブ縦延長部は一体に形成されることを特徴とする、請求項７に記載の有機発光表示装置。
【請求項１２】
前記縦延長部は前記サブ縦延長部と互いに平行であり、前記縦延長部の前記第１方向への長さは、前記サブ縦延長部の前記第１方向への長さより長いことを特徴とする、請求項７に記載の有機発光表示装置。
【請求項１３】
前記ダミーパターンは、
前記縦延長部から前記第１方向に離隔して配置され、前記第１方向に沿って互いに離隔して配列される複数の縦ダミーパターンと、
前記横延長部から前記第２方向とは逆の第３方向に離隔して配置され、前記第３方向に沿って互いに離隔して配列される複数の横ダミーパターンを含むことを特徴とする、請求項７に記載の有機発光表示装置。
【請求項１４】
前記ダミーパターンは、
前記縦延長部から前記第３方向に離隔して配置され、前記第１方向に沿って互いに離隔して配列される複数のサブ縦ダミーパターンと、
前記横延長部から前記第１方向に離隔して配置され、前記第３方向に沿って互いに離隔して配列される複数のサブ横ダミーパターンをさらに含むことを特徴とする、請求項１３に記載の有機発光表示装置。
【請求項１５】
前記表示領域は複数のサブ画素回路領域を含み、前記サブ画素回路領域の各々に、前記縦ダミーパターン、前記横ダミーパターン、前記サブ縦ダミーパターン、及び前記サブ横ダミーパターンのうちの少なくとも１つが配置されることを特徴とする、請求項１４に記載の有機発光表示装置。
【請求項１６】
前記サブ画素回路領域の各々における、前記縦ダミーパターン、前記横ダミーパターン、前記サブ縦ダミーパターン、及び前記サブ横ダミーパターンにより、前記ダミーパターンは前記表示領域にて格子形状を有することを特徴とする、請求項１５に記載の有機発光表示装置。
【請求項１７】
前記基板上の前記表示領域に配置される複数の電源電圧配線をさらに含み、
前記ダミーパターンのうちの少なくとも一部は、前記電源電圧配線のうちの少なくとも一部と電気的に連結されることを特徴とする、請求項１に記載の有機発光表示装置。
【請求項１８】
前記右側ファン−アウト配線は、
第１乃至第Ｍ（但し、Ｍは１以上の整数）右側ファン−アウト配線を含み、前記第１乃至第Ｍ右側ファン−アウト配線は、順に互いに離隔して配列されることを特徴とする、請求項１に記載の有機発光表示装置。
【請求項１９】
前記第１乃至第Ｍ右側ファン−アウト配線は、逐次、配線の全長が減少していくことを特徴とする、請求項１８に記載の有機発光表示装置。
【請求項２０】
前記第１乃至第Ｍ右側ファン−アウト配線のうち、第Ｋ（但し、Ｋは１とＭの間の整数）右側ファン−アウト配線は、
前記パッド領域及び前記第１サブ表示領域に配置され、第１方向に沿って延長する縦延長部と、
前記第１表示領域に位置する前記縦延長部の第１端部から、前記第１方向と直交する第２方向に沿って延長する、横延長部を含むことを特徴とする、請求項１８に記載の有機発光表示装置。
【請求項２１】
前記Ｋ右側ファン−アウト配線の前記縦延長部の第２端部は前記パッド領域に位置し、前記第Ｋ右側ファン−アウト配線の前記縦延長部における前記第２端部とは逆の前記第１端部は、前記横延長部の第１端部と連結されることを特徴とする、請求項２０に記載の有機発光表示装置。
【請求項２２】
前記右側信号配線は、
第１乃至第Ｎ（但し、Ｎは１以上の整数）右側信号配線を含み、
前記第１乃至第Ｎ右側信号配線は、逆順に配列され、互いに離隔して配置されることを特徴とする、請求項２１に記載の有機発光表示装置。
【請求項２３】
前記第１サブ表示領域と前記第２サブ表示領域の境界と隣接して、前記第Ｍ右側ファン−アウト配線及び前記第Ｎ右側信号配線が配置されることを特徴とする、請求項２２に記載の有機発光表示装置。
【請求項２４】
前記第１乃至第Ｍ右側ファン−アウト配線のうち、前記第Ｋ右側ファン−アウト配線の前記横延長部は、前記第１乃至第Ｎ右側信号配線のうちの第Ｌ（但し、Ｌは１とＮの間の整数）右側信号配線と、コンタクトホールを通じて連結されることを特徴とする、請求項２２に記載の有機発光表示装置。
【請求項２５】
前記第Ｋ右側ファン−アウト配線における、前記縦延長部の前記第１端部と、横延長部の前記第１端部とにより、前記折曲部が構成されることを特徴とする、請求項２４に記載の有機発光表示装置。
【請求項２６】
前記第Ｋ右側ファン−アウト配線における前記縦延長部と前記横延長部とは一体に形成されることを特徴とする、請求項２０に記載の有機発光表示装置。
【請求項２７】
前記第Ｋ右側ファン−アウト配線は、
前記横延長部の第２端部から、前記第１方向とは逆の第４方向に沿って延長するサブ縦延長部をさらに含むことを特徴とする、請求項２６に記載の有機発光表示装置。
【請求項２８】
前記横延長部の第１端部は前記縦延長部と連結され、前記横延長部の前記第１端部とは逆の前記第２端部は、前記サブ縦延長部の前記第１端部と連結されることを特徴とする、請求項２７に記載の有機発光表示装置。
【請求項２９】
前記右側信号配線は、
第１乃至第Ｎ（但し、Ｎは１以上の整数）右側信号配線を含み、
前記第１乃至第Ｎ右側信号配線は、逆順に配列され、互いに離隔して配置されることを特徴とする、請求項２８に記載の有機発光表示装置。
【請求項３０】
前記第１乃至第Ｍ右側ファン−アウト配線のうちの前記第Ｋ右側ファン−アウト配線の前記サブ縦延長部は、前記第１乃至第Ｎ右側信号配線のうちの第Ｌ（但し、Ｌは１とＮの間の整数）右側信号配線と、コンタクトホールを通じて連結されることを特徴とする、請求項２９に記載の有機発光表示装置。
【請求項３１】
前記第Ｋ右側ファン−アウト配線における、前記縦延長部の第１端部と横延長部の第１端部とにより、また、前記横延長部の第２端部と前記サブ縦延長部の第１端部とにより、前記折曲部が構成されることを特徴とする、請求項３０に記載の有機発光表示装置。
【請求項３２】
前記第Ｋ右側ファン−アウト配線における、前記縦延長部、前記横延長部、及び前記サブ縦延長部は一体に形成されることを特徴とする、請求項２７に記載の有機発光表示装置。
【請求項３３】
前記第Ｋ右側ファン−アウト配線の前記縦延長部は、前記第Ｋ右側ファン−アウト配線の前記サブ縦延長部と互いに平行であり、前記縦延長部の前記第１方向への長さは、前記サブ縦延長部の前記第１方向への長さより長いことを特徴とする、請求項２７に記載の有機発光表示装置。
【請求項３４】
前記第Ｋ右側ファン−アウト配線の前記縦延長部、前記横延長部、及び前記サブ縦延長部の内側に、空いた空間が形成され、前記空いた空間は前記第１方向へと陥没した形状を有し、前記空いた空間に、前記第１乃至第Ｍ右側ファン−アウト配線のうちの、第Ｋ＋１右側ファン−アウト配線が配置されることを特徴とする、請求項２７に記載の有機発光表示装置。
【請求項３５】
前記ダミーパターンは、第１乃至第Ｐ（但し、Ｐは１以上の整数）ダミーパターンを含み、
前記第１乃至第Ｐダミーパターンのうち、第Ｊ（但し、Ｊは１とＮの間の整数）ダミーパターンは、
前記第Ｋ右側ファン−アウト配線の縦延長部から前記第１方向に離隔して配置され、前記第１方向に沿って互いに離隔して配列される複数の縦ダミーパターンと、
前記第Ｋ右側ファン−アウト配線の横延長部から前記第２方向とは逆の第３方向に離隔して配置され、前記第３方向に沿って互いに離隔して配列される複数の横ダミーパターンを含むことを特徴とする、請求項２７に記載の有機発光表示装置。
【請求項３６】
前記第Ｊダミーパターンは、
前記第Ｋ右側ファン−アウト配線の縦延長部から前記第３方向に離隔して配置され、前記第１方向に沿って互いに離隔して配列される複数のサブ縦ダミーパターンと、
前記第Ｋ右側ファン−アウト配線の横延長部から前記第１方向に離隔して配置され、前記第３方向に沿って互いに離隔して配列される複数のサブ横ダミーパターンをさらに含むことを特徴とする、請求項３５に記載の有機発光表示装置。
【請求項３７】
前記表示領域は複数のサブ画素回路領域を含み、前記サブ画素回路領域の各々に、前記縦ダミーパターン、前記横ダミーパターン、前記サブ縦ダミーパターン、及び前記サブ横ダミーパターンのうちの少なくとも１つが配置されることを特徴とする、請求項３６に記載の有機発光表示装置。
【請求項３８】
前記サブ画素回路領域の各々における、前記縦ダミーパターン、前記横ダミーパターン、前記サブ縦ダミーパターン、及び前記サブ横ダミーパターンにより、前記ダミーパターンは前記表示領域にて格子形状を有することを特徴とする、請求項３７に記載の有機発光表示装置。
【請求項３９】
前記基板は、
前記第１サブ表示領域の前記第１側部とは逆の第３側部に位置する第３サブ表示領域をさらに含み、
前記パッド領域と前記第１サブ表示領域は第１方向に沿って配列され、
前記第３サブ表示領域、前記第１サブ表示領域、及び前記第２サブ表示領域は、前記第１方向と直交する第２方向に沿って配列されることを特徴とする、請求項１に記載の有機発光表示装置。
【請求項４０】
前記表示領域の前記第２方向への幅は、前記パッド領域の前記第２方向への幅より大きいことを特徴とする、請求項３９に記載の有機発光表示装置。
【請求項４１】
前記パッド領域にて前記第２方向に沿って配列される複数のパッド電極をさらに含むことを特徴とする、請求項４０に記載の有機発光表示装置。
【請求項４２】
前記基板上の第３サブ表示領域に配置される複数の左側信号配線と、
前記左側信号配線上の前記パッド領域、前記第１サブ表示領域、及び前記第３サブ表示領域に配置され、折曲部を各々含む複数の左側ファン−アウト配線をさらに含むことを特徴とする、請求項３９に記載の有機発光表示装置。
【請求項４３】
前記ダミーパターンは、前記左側信号配線上の前記第３サブ表示領域に配置され、前記左側ファン−アウト配線と離隔されており、格子形状を有することを特徴とする、請求項４２に記載の有機発光表示装置。
【請求項４４】
前記左側ファン−アウト配線と、前記右側ファン−アウト配線とは互いに対称であることを特徴とする、請求項４２に記載の有機発光表示装置。
【請求項４５】
前記左側信号配線は、前記第３サブ表示領域のみに配置され、前記左側ファン−アウト配線を通じてデータ信号が印加されることを特徴とする、請求項４２に記載の有機発光表示装置。
【請求項４６】
前記右側信号配線は、前記第２サブ表示領域のみに配置され、前記右側ファン−アウト配線を通じてデータ信号が印加されることを特徴とする、請求項１に記載の有機発光表示装置。
【請求項４７】
前記サブ画素構造物の各々は、
前記ダミーパターンの上に配置される下部電極と、
前記下部電極の上に配置される発光層と、
前記発光層の上に配置される上部電極とを含むことを特徴とする、請求項１に記載の有機発光表示装置。
【請求項４８】
前記基板上の第１サブ表示領域に配置される複数の中央信号配線をさらに含むことを特徴とする、請求項１に記載の有機発光表示装置。
【請求項４９】
前記中央信号配線の各々の第１方向への長さは、前記右側信号配線の各々の第１方向への長さより長いことを特徴とする、請求項４８に記載の有機発光表示装置。
【請求項５０】
前記中央信号配線は前記第１サブ表示領域のみに配置され、データ信号が印加されることを特徴とする、請求項４８に記載の有機発光表示装置。
【発明の詳細な説明】
【技術分野】
【０００１】
本発明は有機発光表示装置に関し、より詳しくは、本発明はファン−アウト配線を含む有機発光表示装置に関する。
【背景技術】
【０００２】
フラットパネルディスプレイ（平板表示装置）は、軽量及び薄型などの特性によって、陰極線管表示装置に代わる表示装置として使われている。このような平板表示装置の代表的な例として、液晶表示装置と有機発光表示装置がある。そのうち、有機発光表示装置は液晶表示装置に比べて輝度特性及び視野角特性に優れて、バックライトユニットを必要としないので、超薄型で具現できるという長所がある。このような有機発光表示装置は、有機薄膜に陰極と陽極を通じて注入された電子と正孔が再結合して励起子を形成し、形成された励起子からのエネルギーにより特定の波長の光が発生する現象を用いる。
【０００３】
有機発光表示装置は、表示領域及びパッド領域を含むことができる。前記パッド領域には外部装置から映像を表示するための複数の信号の提供を受けるパッド電極が配置されることができ、前記表示領域には前記信号を伝達する複数の信号配線が配置できる。最近、表示領域の横方向への幅より小さい横方向の幅を有するパッド領域を有する有機発光表示装置が開発されている。このような場合、前記表示領域の両側部に配置される信号配線はファン−アウト配線を通じて前記信号が伝達できる。但し、前記ファン−アウト配線のため、有機発光表示装置の表示領域にむらが発生するという問題点がある。
【発明の概要】
【発明が解決しようとする課題】
【０００４】
本発明の目的は、ファン−アウト配線を含む有機発光表示装置を提供することにある。
【０００５】
しかしながら、本発明が前述した目的により限定されるのではなく、本発明の思想及び領域から逸脱しない範囲で多様に拡張できる。
【課題を解決するための手段】
【０００６】
前述した本発明の目的を達成するために、本発明の例示的な実施形態に従う有機発光表示装置は、第１サブ表示領域、及び、前記第１サブ表示領域の第１側部に位置する第２サブ表示領域を含む表示領域、及び、前記第１サブ表示領域の前記第１側部と異なる第２側部に位置するパッド領域を有する基板、前記基板上の前記第２サブ表示領域に配置される複数の右側信号配線、前記右側信号配線の上の、前記パッド領域、前記第１サブ表示領域及び前記第２サブ表示領域に配置され、折曲部を各々含む複数の右側ファン−アウト配線、前記右側信号配線の上の、前記第１及び第２サブ表示領域に配置され、前記右側ファン−アウト配線と離隔して配置され、格子形状を有する複数のダミーパターン及び前記ダミーパターンの上に配置される複数のサブ画素構造物を含むことができる。
【０００７】
例示的な実施形態において、前記右側ファン−アウト配線の各々は前記パッド領域及び前記第１サブ表示領域に配置され、第１方向に沿って延長する縦延長部、及び、前記第１表示領域に位置する前記縦延長部の第１端部から前記第１方向と直交する第２方向に沿って延長する横延長部を含むことができる。
【０００８】
例示的な実施形態において、前記縦延長部の第２端部は前記パッド領域に位置し、前記縦延長部の前記第２端部とは逆の前記第１端部は前記横延長部の第１端部と連結できる。
【０００９】
例示的な実施形態において、前記横延長部の前記第１端部とは逆の第２端部は、前記複数の右側信号配線のうちの１つの右側信号配線とコンタクトホールを通じて連結できる。
【００１０】
例示的な実施形態において、前記縦延長部の前記第１端部、及び横延長部の前記第１端部により、前記折曲部が構成できる。
【００１１】
例示的な実施形態において、前記縦延長部及び前記横延長部は一体形成できる。
【００１２】
例示的な実施形態において、前記右側ファン−アウト配線の各々は前記横延長部の第２端部から前記第１方向には逆の第４方向に沿って延長するサブ縦延長部をさらに含むことができる。
【００１３】
例示的な実施形態において、前記横延長部の第１端部は前記縦延長部と連結され、前記横延長部の前記第１端部とは逆の前記第２端部は前記サブ縦延長部の前記第１端部と連結できる。
【００１４】
例示的な実施形態において、前記サブ縦延長部の第１端部とは逆の第２端部は、前記複数の右側信号配線のうちの１つの右側信号配線とコンタクトホールを通じて連結できる。
【００１５】
例示的な実施形態において、前記縦延長部の第１端部と横延長部の第１端部、及び、前記横延長部の第２端部と前記サブ縦延長部の第１端部により、前記折曲部が構成できる。
【００１６】
例示的な実施形態において、前記縦延長部、前記横延長部、及び前記サブ縦延長部は一体形成できる。
【００１７】
例示的な実施形態において、前記縦延長部は前記サブ縦延長部と互いに平行であり、前記縦延長部の前記第１方向への長さは、前記サブ縦延長部の前記第１方向への長さより長いことがある。
【００１８】
例示的な実施形態において、前記ダミーパターンは、前記縦延長部から前記第１方向に離隔して配置され、前記第１方向に沿って互いに離隔して配列される複数の縦ダミーパターン、及び、前記横延長部から前記第２方向とは逆の第３方向に離隔して配置され、前記第３方向に沿って互いに離隔して配列される複数の横ダミーパターンを含むことができる。
【００１９】
例示的な実施形態において、前記ダミーパターンは、前記縦延長部から前記第３方向に離隔して配置され、前記第１方向に沿って互いに離隔して配列される複数のサブ縦ダミーパターン、及び、前記横延長部から前記第１方向に離隔して配置され、前記第３方向に沿って互いに離隔して配列される複数のサブ横ダミーパターンをさらに含むことができる。
【００２０】
例示的な実施形態において、前記表示領域は複数のサブ画素回路領域を含み、前記サブ画素回路領域の各々に、前記縦ダミーパターン、前記横ダミーパターン、前記サブ縦ダミーパターン、及び前記サブ横ダミーパターンのうち、少なくとも１つが配置できる。
【００２１】
例示的な実施形態において、前記サブ画素回路領域の各々における、前記縦ダミーパターン、前記横ダミーパターン、前記サブ縦ダミーパターン、及び前記サブ横ダミーパターンにより、前記ダミーパターンは前記表示領域で格子形状を有することができる。
【００２２】
例示的な実施形態において、前記基板上の前記表示領域に配置される複数の電源電圧配線をさらに含み、前記ダミーパターンのうちの少なくとも一部は、前記電源電圧配線のうちの少なくとも一部と電気的に連結できる。
【００２３】
例示的な実施形態において、前記右側ファン−アウト配線は第１乃至第Ｍ（但し、Ｍは１以上の整数）右側ファン−アウト配線を含み、前記第１乃至第Ｍ右側ファン−アウト配線は、順に、互いに離隔して配列できる。
【００２４】
例示的な実施形態において、前記第１乃至第Ｍ右側ファン−アウト配線は、逐次に配線の全長が減小することができる。
【００２５】
例示的な実施形態において、前記第１乃至第Ｍ右側ファン−アウト配線のうち、第Ｋ（但し、Ｋは１とＭの間の整数）右側ファン−アウト配線は、前記パッド領域及び前記第１サブ表示領域に配置され、第１方向に沿って延長する縦延長部及び前記第１表示領域に位置する前記縦延長部の第１端部から前記第１方向と直交する第２方向に沿って延長する横延長部を含むことができる。
【００２６】
例示的な実施形態において、前記第Ｋ右側ファン−アウト配線の前記縦延長部の第２端部は前記パッド領域に位置し、前記第Ｋ右側ファン−アウト配線の前記縦延長部の前記第２端部に反対になる前記第１端部は前記横延長部の第１端部と連結できる。
【００２７】
例示的な実施形態において、前記右側信号配線は第１乃至第Ｎ（但し、Ｎは１以上の整数）右側信号配線を含み、前記第１乃至第Ｎ右側信号配線は逆順で配列され、互いに離隔して配置できる。
【００２８】
例示的な実施形態において、前記第１サブ表示領域と前記第２サブ表示領域の境界と隣接して前記第Ｍ右側ファン−アウト配線及び前記第Ｎ右側信号配線が配置できる。
【００２９】
例示的な実施形態において、前記第１乃至第Ｍ右側ファン−アウト配線のうち、前記第Ｋ右側ファン−アウト配線の前記横延長部は、前記第１乃至第Ｎ右側信号配線のうち、第Ｌ（但し、Ｌは１とＮの間の整数）右側信号配線とコンタクトホールを通じて連結できる。
【００３０】
例示的な実施形態において、前記第Ｋ右側ファン−アウト配線の前記縦延長部の前記第１端部と横延長部の前記第１端部により前記折曲部が構成できる。
【００３１】
例示的な実施形態において、前記第Ｋ右側ファン−アウト配線の前記縦延長部及び前記横延長部は一体形成できる。
【００３２】
例示的な実施形態において、前記第Ｋ右側ファン−アウト配線は前記横延長部の第２端部から前記第１方向とは逆の第４方向に沿って延長するサブ縦延長部をさらに含むことができる。
【００３３】
例示的な実施形態において、前記横延長部の第１端部は前記縦延長部と連結され、前記横延長部の前記第１端部とは逆の前記第２端部は前記サブ縦延長部の前記第１端部と連結できる。
【００３４】
例示的な実施形態において、前記右側信号配線は第１乃至第Ｎ（但し、Ｎは１以上の整数）右側信号配線を含み、前記第１乃至第Ｎ右側信号配線は逆順で配列され、互いに離隔して配置できる。
【００３５】
例示的な実施形態において、前記第１乃至第Ｍ右側ファン−アウト配線のうち、前記第Ｋ右側ファン−アウト配線の前記サブ縦延長部は、前記第１乃至第Ｎ右側信号配線のうち、第Ｌ（但し、Ｌは１とＮの間の整数）右側信号配線とコンタクトホールを通じて連結できる。
【００３６】
例示的な実施形態において、前記第Ｋ右側ファン−アウト配線の前記縦延長部の第１端部及び横延長部の第１端部、並びに、前記横延長部の第２端部及び前記サブ縦延長部の第１端部により、前記折曲部が構成できる。
【００３７】
例示的な実施形態において、前記第Ｋ右側ファン−アウト配線の前記縦延長部、前記横延長部、及び前記サブ縦延長部は一体形成できる。
【００３８】
例示的な実施形態において、前記第Ｋ右側ファン−アウト配線の前記縦延長部は、前記第Ｋ右側ファン−アウト配線の前記サブ縦延長部と互いに平行であり、前記縦延長部の前記第１方向への長さは前記サブ縦延長部の前記第１方向への長さより長いのでありうる。
【００３９】
例示的な実施形態において、前記第Ｋ右側ファン−アウト配線の前記縦延長部、前記横延長部、及び前記サブ縦延長部の内側に空いた空間が形成され、前記空いた空間は前記第１方向へと陥没した形状を有し、前記空いた空間に前記第１乃至第Ｍ右側ファン−アウト配線のうち、第Ｋは＋１右側ファン−アウト配線が配置できる。
【００４０】
例示的な実施形態において、前記ダミーパターンは第１乃至第Ｐ（但し、Ｐは１以上の整数）ダミーパターンを含み、前記第１乃至第Ｐダミーパターンのうち、第Ｊ（但し、Ｊは１とＮの間の整数）ダミーパターンは、前記第Ｋ右側ファン−アウト配線の縦延長部から前記第１方向に離隔して配置され、前記第１方向に沿って互いに離隔して配列される複数の縦ダミーパターン、及び前記第Ｋ右側ファン−アウト配線の横延長部から前記第２方向と反対になる第３方向に離隔して配置され、前記第３方向に沿って互いに離隔して配列される複数の横ダミーパターンを含むことができる。
【００４１】
例示的な実施形態において、前記第Ｊダミーパターンは、前記Ｋ右側ファン−アウト配線の縦延長部から前記第３方向に離隔して配置され、前記第１方向に沿って互いに離隔して配列される複数のサブ縦ダミーパターン、及び、前記第Ｋ右側ファン−アウト配線の横延長部から前記第１方向に離隔して配置され、前記第３方向に沿って互いに離隔して配列される複数のサブ横ダミーパターンをさらに含むことができる。
【００４２】
例示的な実施形態において、前記表示領域は複数のサブ画素回路領域を含み、前記サブ画素回路領域の各々に前記縦ダミーパターン、前記横ダミーパターン、前記サブ縦ダミーパターン、及び前記サブ横ダミーパターンのうち、少なくとも１つが配置できる。
【００４３】
例示的な実施形態において、前記サブ画素回路領域の各々における前記縦ダミーパターン、前記横ダミーパターン、前記サブ縦ダミーパターン、及び前記サブ横ダミーパターンにより、前記ダミーパターンは前記表示領域で格子形状を有することができる。
【００４４】
例示的な実施形態において、前記基板は前記第１サブ表示領域の前記第１側部と対向する第３側部に位置する第３サブ表示領域をさらに含み、前記パッド領域と前記第１サブ表示領域は第１方向に沿って配列され、前記第３サブ表示領域、前記第１サブ表示領域、及び前記第２サブ表示領域は、前記第１方向と直交する第２方向に沿って配列できる。
【００４５】
例示的な実施形態において、前記表示領域の前記第２方向への幅は前記パッド領域の前記第２方向への幅より大きいことがある。
【００４６】
例示的な実施形態において、前記パッド領域で前記第２方向に沿って配列される複数のパッド電極をさらに含むことができる。
【００４７】
例示的な実施形態において、前記基板上の第３サブ表示領域に配置される複数の左側信号配線及び前記左側信号配線上の前記パッド領域、前記第１サブ表示領域、及び前記第３サブ表示領域に配置され、折曲部を各々含む複数の左側ファン−アウト配線をさらに含むことができる。
【００４８】
例示的な実施形態において、前記ダミーパターンは前記左側信号配線上の前記第３サブ表示領域に配置され、前記左側ファン−アウト配線と離隔し、格子形状を有することができる。
【００４９】
例示的な実施形態において、前記左側ファン−アウト配線と前記右側ファン−アウト配線は互いに対称でありえる。
【００５０】
例示的な実施形態において、前記左側信号配線は前記第３サブ表示領域のみに配置され、前記左側ファン−アウト配線を通じてデータ信号が印加できる。
【００５１】
例示的な実施形態において、前記右側信号配線は前記第２サブ表示領域のみに配置され、前記右側ファン−アウト配線を通じてデータ信号が印加できる。
【００５２】
例示的な実施形態において、前記サブ画素構造物の各々は前記ダミーパターン上に配置される下部電極、前記下部電極上に配置される発光層、及び前記発光層上に配置される上部電極を含むことができる。
【００５３】
例示的な実施形態において、前記基板上の第１サブ表示領域に配置される複数の中央信号配線をさらに含むことができる。
【００５４】
例示的な実施形態において、前記中央信号配線の各々の第１方向への長さは前記右側信号配線の各々の第１方向への長さより長いのでありうる。
【００５５】
例示的な実施形態において、前記中央信号配線は前記第１サブ表示領域のみに配置され、データ信号が印加できる。
【発明の効果】
【００５６】
本発明の例示的な実施形態に従う有機発光表示装置はダミーパターンを含むことによって、ダミーパターンは右側ファン−アウト配線及び左側ファン−アウト配線と共に表示領域に全体的に格子パターン形状を具現することができる。このような場合、有機発光表示装置にパターン及び／又はむらが視認できないことがある。これによって、有機発光表示装置の視認性が相対的に向上できる。また、ダミーパターンがコンタクトホールを通じて高電源電圧配線と電気的に連結される場合、高電源電圧配線の配線抵抗が低くなることがある。さらに、ダミーパターンに定電圧が印加されることによって、電圧レベルが変化する配線を遮蔽することができる。
【００５７】
本発明の例示的な実施形態に従う有機発光表示装置において、右側ファン−アウト配線のコンタクトホールが第２サブ表示領域の下端（データ入力側の端部）に位置し、左側ファン−アウト配線のコンタクトホールが第３サブ表示領域の下端（データ入力側の端部）に位置することによって、有機発光表示装置の視認性が相対的に増加できる。
【００５８】
但し、本発明の効果が前述した効果に限定されるのではなく、本発明の思想及び領域から逸脱しない範囲で多様に拡張できる。
【図面の簡単な説明】
【００５９】
【図１】本発明の例示的な実施形態に従う有機発光表示装置を示す平面図である。
【図２】図１の有機発光表示装置の第１サブ表示領域、第２サブ表示領域、及び第３サブ表示領域を説明するための平面図である。
【図３】図１の有機発光表示装置と電気的に連結された外部装置を説明するためのブロック図である。
【図４】図１の有機発光表示装置の一例を示す平面図である。
【図５】図１のサブ画素回路領域に配置されたサブ画素回路及び前記サブ画素回路上に配置される有機発光ダイオードを示す回路図である。
【図６】図２の第１乃至第３サブ表示領域に配置された中央信号配線、右側信号配線、及び左側信号配線を説明するための平面図である。
【図７】図１の有機発光表示装置に含まれたファン−アウト配線及びダミーパターンを示す平面図である。
【図８】図１の有機発光表示装置の“Ａ”領域を拡大図示した平面図である。
【図９】例示的な実施形態に従う有機発光表示装置に含まれたファン−アウト配線及びダミーパターンの一例を示す平面図である。
【図１０】例示的な実施形態に従う有機発光表示装置に含まれたファン−アウト配線及びダミーパターンの他の例を示す平面図である。
【図１１】図８のファン−アウト配線及びダミーパターンを説明するための平面図である。
【図１２】図１１の有機発光表示装置の“Ｂ”領域を拡大図示したレイアウト図である。
【図１３】図１２の“Ｂ”領域を説明するためのレイアウト図(1)である。
【図１４】図１２の“Ｂ”領域を説明するためのレイアウト図(2)である。
【図１５】図１２の“Ｂ”領域を説明するためのレイアウト図(3)である。
【図１６】図１２の有機発光表示装置をＩ−Ｉ’ラインに沿って切断した断面図である。
【図１７】図１１の有機発光表示装置の“Ｃ”領域を拡大図示したレイアウト図である。
【図１８】図１７の有機発光表示装置をＩＩ−ＩＩ’ラインに沿って切断した断面図である。
【図１９】図１１の有機発光表示装置の“Ｄ”領域を拡大図示したレイアウト図である。
【図２０】図１９の有機発光表示装置をＩＩＩ−ＩＩＩ’ラインに沿って切断した断面図である。
【図２１】図１１の有機発光表示装置の“Ｅ”領域を拡大図示したレイアウト図である。
【図２２】図２１の有機発光表示装置をＩＶ−ＩＶ’ラインに沿って切断した断面図である。
【図２３】本発明の例示的な実施形態に従う有機発光表示装置を示す平面図である。
【図２４】図２３の有機発光表示装置の“Ｆ”領域を拡大図示した平面図である。
【発明を実施するための形態】
【００６０】
以下、添付した図面を参照して、本発明の例示的な実施形態に従う有機発光表示装置に対して詳細に説明する。添付した図面において、同一または類似の構成要素に対しては同一または類似の参照符号を使用する。
【００６１】
図１は本発明の例示的な実施形態に従う有機発光表示装置を示す平面図であり、図２は図１の有機発光表示装置の第１サブ表示領域、第２サブ表示領域、及び第３サブ表示領域を説明するための平面図であり、図３は図１の有機発光表示装置と電気的に連結された外部装置を説明するためのブロック図であり、図４は図１の有機発光表示装置の一例を示す平面図である。
【００６２】
図１、図２、及び図３を参照すると、有機発光表示装置１００は、映像が表示できる表示領域４０及び複数の信号を受信することができるパッド領域６０を含むことができる。ここで、表示領域４０は、第１サブ表示領域１０、第２サブ表示領域２０、及び第３サブ表示領域３０を含むことができる。例えば、第１サブ表示領域１０の第１側部に第２サブ表示領域２０が位置することができ、第１サブ表示領域１０の前記第１側部と異なる第２側部にパッド領域６０が配置されることができ、第１サブ表示領域１０の前記第１側部と対向する第３側部に第３サブ表示領域３０が位置できる。パッド領域６０と第１サブ表示領域１０は、有機発光表示装置１００の上面に実質的に平行である第１方向（Ｄ１）へと配列されることができ、第３サブ表示領域３０、第１サブ表示領域１０、及び第２サブ表示領域２０は、第１方向（Ｄ１）と実質的に直交する第２方向（Ｄ２）へと配列できる。
【００６３】
例えば、第１サブ表示領域１０は有機発光表示装置１００の前面に位置することができ、第２及び第３サブ表示領域２０、３０は縦方向を軸にベンディング（例えば、第１方向（Ｄ１）及び第１方向（Ｄ１）とは逆の第４方向（Ｄ４）を軸にベンディング）されて有機発光表示装置１００の両側面に位置することができる。任意選択的に、第１サブ表示領域１０のうち、パッド領域６０と隣接した部分が横方向を軸にベンディング（例えば、第２方向（Ｄ２）及び第２方向（Ｄ２）とは逆の３方向（Ｄ３）を軸にベンディング）されて有機発光表示装置１００の下側面（例えば、有機発光表示装置１００の両側面の間に位置する面）に位置することもできる。また、他の例示的な実施形態において、図４に図示したように、第２及び第３サブ表示領域２０、３０は、前記縦方向を軸にベンディングされて有機発光表示装置１００の両側面に位置することができ、第１サブ表示領域１０のうち、パッド領域６０と隣接した第１部分が前記縦方向を軸にベンディングされて有機発光表示装置１００の下側面に位置することができ、第１サブ表示領域１０のうち、第１部分とは逆側にある第２部分が前記縦方向を軸にベンディングされて上側面に位置することもできる。このような場合、有機発光表示装置１００は前面だけでなく４個の側面（側端面）でも映像を表示することができる。但し、前記のような構造は有機発光表示装置１００が下部基板にフレキシブルな基板（例えば、ポリイミド基板）及び上部基板に薄膜封止構造物を含まなければならない。
【００６４】
例示的な実施形態において、有機発光表示装置１００の平面図で表示領域４０の第２方向（Ｄ２）への幅（Ｗ１）は、パッド領域６０の第２方向（Ｄ２）への幅（Ｗ２）より大きいのでありうる。また、第１サブ表示領域１０の第１方向（Ｄ１）（または、第１方向（Ｄ１）と反対になる第４方向（Ｄ４））への幅が第２及び第３サブ表示領域２０、３０の各々の第１方向（Ｄ１）の幅より大きいのでありうる。任意選択的に、第１サブ表示領域１０の第１方向（Ｄ１）への幅が第２及び第３サブ表示領域２０、３０の各々の第１方向（Ｄ１）の幅より小さいか等しいこともある。
【００６５】
表示領域４０には複数のサブ画素回路領域５０が全体に配列されうるのであり、パッド領域６０には外部装置１０１と電気的に連結されるパッド電極４７０が第２方向（Ｄ２）（または、第２方向（Ｄ２）とは逆の第３方向（Ｄ３））に配列できる。
【００６６】
表示領域４０のサブ画素回路領域５０の各々にはサブ画素回路（例えば、図５のサブ画素回路）が配置されることができ、前記サブ画素回路上に有機発光ダイオード（例えば、図４の有機発光ダイオード）が配置できる。前記サブ画素回路及び前記有機発光ダイオードを通じて表示領域４０に映像が表示できる。
【００６７】
サブ画素回路領域５０には第１、第２、及び第３サブ画素回路が配置できる。例えば、前記第１サブ画素回路は赤色光が放出できる第１有機発光ダイオードと連結されることができ、前記第２サブ画素回路は緑色光が放出できる第２有機発光ダイオードと連結されることができ、前記第３サブ画素回路は青色光が放出できる第３有機発光ダイオードと連結できる。
【００６８】
例示的な実施形態において、前記第１有機発光ダイオードは第１サブ画素回路と重畳配置されることができ、前記第２有機発光ダイオードは第２サブ画素回路と重畳配置されることができ、前記第３有機発光ダイオードは第３サブ画素回路と重畳配置できる。任意選択的に、前記第１有機発光ダイオードが前記第１サブ画素回路の一部及び前記第１サブ画素回路と異なるサブ画素回路の一部と重畳配置されることもでき、前記第２有機発光ダイオードが前記第２サブ画素回路の一部及び前記第２サブ画素回路と異なるサブ画素回路の一部と重畳配置されることもでき、前記第３有機発光ダイオードが前記第３サブ画素回路の一部及び前記第３サブ画素回路と異なるサブ画素回路の一部と重畳配置されることもできる。
【００６９】
例えば、前記第１乃至第３有機発光ダイオードは同一のサイズの直四角形が順に配列されるＲＧＢストライプ（RGB stripe）方式、相対的に広い面積を有する青色有機発光ダイオードを含むＳ−ストライプ（s-stripe）方式、白色有機発光ダイオードをさらに含むＷＲＧＢ方式、ＲＧ−ＧＢ反復形態に羅列されたペンタイル方式などを用いて配列できる。
【００７０】
また、複数のサブ画素回路領域５０の各々には少なくとも１つの駆動トランジスタ、少なくとも１つのスイッチングトランジスタ、少なくとも１つのキャパシタなどが配置できる。例示的な実施形態において、サブ画素回路領域５０の各々に１つの駆動トランジスタ及び８個のスイッチングトランジスタ、１つのストレージキャパシタなどが配置できる。
【００７１】
但し、本発明のサブ画素回路領域５０の形状が四角形の平面形状を有するものとして説明したが、前記形状がこれに限定されるのではない。例えば、サブ画素回路領域５０の形状は三角形の平面形状、菱形の平面形状、多角形の平面形状、円形の平面形状、トラック型の平面形状、または楕円形の平面形状を有することもできる。
【００７２】
外部装置１０１は、有機発光表示装置１００と軟性印刷回路基板を通じて電気的に連結できる。例えば、前記軟性印刷回路基板の一側はパッド電極４７０と直接的に接触することができ、前記軟性印刷回路基板の他側は外部装置１０１と直接的に接触することができる。外部装置１０１は、データ信号、スキャン信号、発光制御信号、データ初期化信号、初期化電圧、電源電圧などを有機発光表示装置１００に提供することができる。また、前記軟性印刷回路基板には駆動集積回路が実装できる。他の例示的な実施形態において、前記駆動集積回路がパッド電極４７０と隣接して有機発光表示装置１００に実装されることもできる。任意選択的に、有機発光表示装置１００が前記ベンディング領域を含む場合、印刷回路基板を通じてパッド電極４７０と外部装置１０１が電気的に連結されることもできる。このような場合、前記ベンディング領域は表示領域４０とパッド領域６０との間に位置（例えば、パッド領域６０に隣接して位置）することができる。有機発光表示装置１００が前記ベンディング領域を含む場合、前記ベンディング領域が前記横方向を軸にベンディングされることができ、パッド領域６０が有機発光表示装置１００の背面に位置することができる。
【００７３】
図５は、図１のサブ画素回路領域に配置されたサブ画素回路及び前記サブ画素回路上に配置される有機発光ダイオードを示す回路図である。
【００７４】
図５を参照すると、有機発光表示装置１００のサブ画素回路領域５０の各々にはサブ画素回路（SUB-PIXEL CIRCUIT）及び有機発光ダイオード（OLED）が配置できる。ここで、サブ画素回路（SUB-PIXEL CIRCUIT）は第１乃至第７トランジスタ（ＴＲ１、ＴＲ２、ＴＲ３＿１、ＴＲ３＿２、ＴＲ４＿１、ＴＲ４＿２、ＴＲ５、ＴＲ６、ＴＲ７）及びストレージキャパシタ（ＣＳＴ）、高電源電圧（ＥＬＶＤＤ）配線、低電源電圧（ＥＬＶＳＳ）配線、初期化電圧（ＶＩＮＴ）配線、データ信号（ＤＡＴＡ）配線、スキャン信号（ＧＷ）配線、データ初期化信号（ＧＩ）配線、発光制御信号（ＥＭ）配線、ダイオード初期化信号（ＧＢ）配線などを含むことができる。
【００７５】
有機発光ダイオード（ＯＬＥＤ）は、駆動電流（ＩＤ）に基づいて光を出力することができる。有機発光ダイオード（ＯＬＥＤ）は、第１端子及び第２端子を含むことができる。例示的な実施形態において、有機発光ダイオード（ＯＬＥＤ）の第２端子は低電源電圧（ＥＬＶＳＳ）の供給を受けることができる。例えば、有機発光ダイオード（ＯＬＥＤ）の第１端子はアノード端子で、有機発光ダイオード（ＯＬＥＤ）の第２端子はカソード端子でありえる。任意選択的に、有機発光ダイオードの第１端子はカソード端子で、有機発光ダイオード（ＯＬＥＤ）の第２端子はアノード端子でありえる。
【００７６】
第１トランジスタ（ＴＲ１）はゲート端子、第１端子、及び第２端子を含むことができる。例示的な実施形態において、第１トランジスタ（ＴＲ１）の第１端子はソース端子で、第１トランジスタ（ＴＲ１）の第２端子はドレイン端子でありえる。任意選択的に、第１トランジスタ（ＴＲ１）の第１端子はドレイン端子で、第１トランジスタ（ＴＲ１）の第２端子はソース端子でありえる。
【００７７】
第１トランジスタ（ＴＲ１）は駆動電流（ＩＤ）を生成することができる。例示的な実施形態において、第１トランジスタ（ＴＲ１）は飽和領域で動作することができる。このような場合、第１トランジスタ（ＴＲ１）はゲート端子とソース端子との間の電圧差に基づいて駆動電流（ＩＤ）を生成することができる。また、有機発光ダイオード（ＯＬＥＤ）に供給される駆動電流（ＩＤ）のサイズに基づいて階調が表現できる。任意選択的に、第１トランジスタ（ＴＲ１）は線形領域で動作することもできる。このような場合、１フレーム内で有機発光ダイオードに駆動電流が供給される時間の和に基づいて階調が表現できる。
【００７８】
第２トランジスタ（ＴＲ２）はゲート端子、第１端子、第２端子を含むことができる。第２トランジスタ（ＴＲ２）のゲート端子はスキャン信号（ＧＷ）の供給を受けることができる。第２トランジスタ（ＴＲ２）の第１端子はデータ信号（ＤＡＴＡ）の供給を受けることができる。第２トランジスタ（ＴＲ２）の第２端子は第１トランジスタ（ＴＲ１）の第１端子に連結できる。例示的な実施形態において、第２トランジスタ（ＴＲ２）の第１端子はソース端子で、第２トランジスタ（ＴＲ２）の第２端子はドレイン端子でありえる。任意選択的に、第２トランジスタ（ＴＲ２）の第１端子はドレイン端子で、第２トランジスタ（ＴＲ２）の第２端子はソース端子でありえる。
【００７９】
第２トランジスタ（ＴＲ２）は、スキャン信号（ＧＷ）の活性化区間の間データ信号（ＤＡＴＡ）を第１トランジスタ（ＴＲ１）の第１端子に供給することができる。このような場合、第２トランジスタ（ＴＲ２）は線形領域で動作することができる。
【００８０】
第３トランジスタ（ＴＲ３＿１、ＴＲ３＿２）の各々はゲート端子、第１端子、及び第２端子を含むことができる。ここで、第３トランジスタ（ＴＲ３＿１）及び第３トランジスタ（ＴＲ３＿２）は直列に連結されることができ、デュアルトランジスタ（dual transistor）として動作することができる。例えば、前記デュアルトランジスタがターン−オフされる場合、漏洩電流（leakage current）を減少させることができる。第３トランジスタ（ＴＲ３＿１、ＴＲ３＿２）の各々のゲート端子はスキャン信号（ＧＷ）の供給を受けることができる。第３トランジスタ（ＴＲ３＿１、ＴＲ３＿２）の各々の第１端子は第１トランジスタ（ＴＲ１）のゲート端子に連結できる。第３トランジスタ（ＴＲ３＿１、ＴＲ３＿２）の各々の第２端子は第１トランジスタ（ＴＲ１）の第２端子に連結できる。例示的な実施形態において、第３トランジスタ（ＴＲ３＿１、ＴＲ３＿２）の各々の第１端子はソース端子で、第３トランジスタ（ＴＲ３＿１、ＴＲ３＿２）の各々の第２端子はドレイン端子でありえる。任意選択的に、第３トランジスタ（ＴＲ３＿１、ＴＲ３＿２）の各々の第１端子はドレイン端子で、第３トランジスタ（ＴＲ３）の第２端子はソース端子でありえる。
【００８１】
第３トランジスタ（ＴＲ３＿１、ＴＲ３＿２）の各々は、スキャン信号（ＧＷ）の活性化区間の間第１トランジスタ（ＴＲ１）のゲート端子と第１トランジスタ（ＴＲ１）の第２端子を連結することができる。このような場合、第３トランジスタ（ＴＲ３＿１、ＴＲ３＿２）の各々は線形領域で動作することができる。即ち、第３トランジスタ（ＴＲ３＿１、ＴＲ３＿２）の各々は、スキャン信号（ＧＷ）の活性化区間の間第１トランジスタ（ＴＲ１）をダイオード連結させることができる。第１トランジスタ（ＴＲ１）がダイオード連結されるので、第１トランジスタ（ＴＲ１）の第１端子と第１トランジスタ（ＴＲ１）のゲート端子との間に第１トランジスタ（ＴＲ１）のしきい電圧だけの電圧差が発生する。その結果、スキャン信号（ＧＷ）の活性化区間の間第１トランジスタ（ＴＲ１）の第１端子に供給されたデータ信号（ＤＡＴＡ）の電圧に前記電圧差（即ち、しきい電圧）だけ合算された電圧が第１トランジスタ（ＴＲ１）のゲート端子に供給できる。即ち、データ信号（ＤＡＴＡ）は第１トランジスタ（ＴＲ１）のしきい電圧だけ補償することができ、補償されたデータ信号（ＤＡＴＡ）が第１トランジスタ（ＴＲ１）のゲート端子に供給できる。前記しきい電圧補償を遂行することによって、第１トランジスタ（ＴＲ１）のしきい電圧偏差により発生する駆動電流不均一の問題が解決できる。
【００８２】
初期化電圧（ＶＩＮＴ）の入力端は第４トランジスタ（ＴＲ４＿１、ＴＲ４＿２）の各々の第１端子及び第７トランジスタ（ＴＲ７）の第１端子と連結されることができ、初期化電圧（ＶＩＮＴ）の出力端は第４トランジスタ（ＴＲ４＿１、ＴＲ４＿２）の各々の第２端子及びストレージキャパシタ（ＣＳＴ）の第１端子と連結できる。
【００８３】
第４トランジスタ（ＴＲ４＿１、ＴＲ４＿２）の各々は、ゲート端子、第１端子、及び第２端子を含むことができる。ここで、第４トランジスタ（ＴＲ４＿１）及び第４トランジスタ（ＴＲ４＿２）は直列に連結されることができ、デュアルトランジスタとして動作することができる。例えば、前記デュアルトランジスタがターン−オフされる場合、漏洩電流を減少させることができる。第４トランジスタ（ＴＲ４＿１、ＴＲ４＿２）の各々のゲート端子はデータ初期化信号（ＧＩ）の供給を受けることができる。第４トランジスタ（ＴＲ４＿１、ＴＲ４＿２）の各々の第１端子は初期化電圧（ＶＩＮＴ）の供給を受けることができる。第４トランジスタ（ＴＲ４＿１、ＴＲ４＿２）の各々の第２端子は、第１トランジスタ（ＴＲ１）のゲート端子に連結できる。例示的な実施形態において、第４トランジスタ（ＴＲ４＿１、ＴＲ４＿２）の各々の第１端子はソース端子で、第４トランジスタ（ＴＲ４＿１、ＴＲ４＿２）の各々の第２端子はドレイン端子でありえる。任意選択的に、第４トランジスタ（ＴＲ４＿１、ＴＲ４＿２）の各々の第１端子はドレイン端子で、第４トランジスタ（ＴＲ４＿１、ＴＲ４＿２）の各々の第２端子はソース端子でありえる。
【００８４】
第４トランジスタ（ＴＲ４＿１、ＴＲ４＿２）の各々は、データ初期化信号（ＧＩ）の活性化区間の間初期化電圧（ＶＩＮＴ）を第１トランジスタ（ＴＲ１）のゲート端子に供給することができる。このような場合、第４トランジスタ（ＴＲ４＿１、ＴＲ４＿２）の各々は線形領域で動作することができる。即ち、第４トランジスタ（ＴＲ４＿１、ＴＲ４＿２）の各々は、データ初期化信号（ＧＩ）の活性化区間の間第１トランジスタ（ＴＲ１）のゲート端子を初期化電圧（ＶＩＮＴ）に初期化させることができる。例示的な実施形態において、初期化電圧（ＶＩＮＴ）の電圧レベルは以前フレームでストレージキャパシタ（ＣＳＴ）により維持されたデータ信号（ＤＡＴＡ）の電圧レベルより十分に低い電圧レベルを有することができ、前記初期化電圧（ＶＩＮＴ）がＰＭＯＳ（P-channel Metal Oxide Semiconductor）トランジスタである第１トランジスタ（ＴＲ１）のゲート端子に供給できる。他の例示的な実施形態において、初期化電圧の電圧レベルは以前フレームでストレージキャパシタにより維持されたデータ信号の電圧レベルより十分に高い電圧レベルを有することができ、前記初期化電圧がＮＭＯＳ（N-channel Metal Oxide Semiconductor）トランジスタである第１トランジスタのゲート端子に供給できる。
【００８５】
例示的な実施形態において、データ初期化信号（ＧＩ）は１水平時間前のスキャン信号（ＧＷ）と実質的に同一の信号でありえる。例えば、有機発光表示装置１００が含む複数のサブ画素（例えば、サブ画素回路（SUB-PIXEL CIRCUIT）及び有機発光ダイオード（ＯＬＥＤ））のうちの第ｎ（但し、ｎは２以上の整数）行のサブ画素に供給されるデータ初期化信号（ＧＩ）は、前記サブ画素のうちの（ｎ−１）行のサブ画素に供給されるスキャン信号（ＧＷ）と実質的に同一の信号でありえる。即ち、前記サブ画素のうち、（ｎ−１）行のサブ画素に活性化されたスキャン信号（ＧＷ）を供給することによって、サブ画素のうち、ｎ行のサブ画素に活性化されたデータ初期化信号（ＧＩ）を供給することができる。その結果、サブ画素のうち、（ｎ−１）行のサブ画素にデータ信号（ＤＡＴＡ）を供給すると共に、サブ画素のうち、ｎ行のサブ画素が含む第１トランジスタ（ＴＲ１）のゲート端子を初期化電圧（ＶＩＮＴ）に初期化させることができる。
【００８６】
第５トランジスタ（ＴＲ５）は、ゲート端子、第１端子、第２端子を含むことができる。ゲート端子は、発光制御信号（ＥＭ）の供給を受けることができる。第１端子は、高電源電圧（ＥＬＶＤＤ）配線に連結できる。第２端子は、第１トランジスタ（ＴＲ１）の第１端子に連結できる。例示的な実施形態において、第５トランジスタ（ＴＲ５）の第１端子はソース端子で、第５トランジスタ（ＴＲ５）の第２端子はドレイン端子でありえる。任意選択的に、第５トランジスタ（ＴＲ５）の第１端子はドレイン端子で、第５トランジスタ（ＴＲ５）の第２端子はソース端子でありえる。
【００８７】
第５トランジスタ（ＴＲ５）は、発光制御信号（ＥＭ）の活性化区間の間第１トランジスタ（ＴＲ１）の第１端子に高電源電圧（ＥＬＶＤＤ）を供給することができる。これと反対に、第５トランジスタ（ＴＲ５）は発光制御信号（ＥＭ）の不活性化区間の間高電源電圧（ＥＬＶＤＤ）の供給を遮断させることができる。このような場合、第５トランジスタ（ＴＲ５）は線形領域で動作することができる。第５トランジスタ（ＴＲ５）が発光制御信号（ＥＭ）の活性化区間の間第１トランジスタ（ＴＲ１）の第１端子に高電源電圧（ＥＬＶＤＤ）を供給することによって、第１トランジスタ（ＴＲ１）は駆動電流（ＩＤ）を生成することができる。また、第５トランジスタ（ＴＲ５）が発光制御信号（ＥＭ）の不活性化区間の間、高電源電圧（ＥＬＶＤＤ）の供給を遮断することによって、第１トランジスタ（ＴＲ１）の第１端子に供給されたデータ信号（ＤＡＴＡ）が第１トランジスタ（ＴＲ１）のゲート端子に供給できる。
【００８８】
第６トランジスタ（ＴＲ６）は、ゲート端子、第１端子、第２端子を含むことができる。ゲート端子は、発光制御信号（ＥＭ）の供給を受けることができる。第１端子は、第１トランジスタ（ＴＲ１）の第２端子に連結できる。第２端子は有機発光ダイオード（ＯＬＥＤ）の第１端子に連結できる。例示的な実施形態において、第１端子はソース端子で、第２端子はドレイン端子でありえる。任意選択的に、第１端子はドレイン端子で、第２端子はソース端子でありえる。
【００８９】
第６トランジスタ（ＴＲ６）は発光制御信号（ＥＭ）の活性化区間の間第１トランジスタ（ＴＲ１）が生成した駆動電流（ＩＤ）を有機発光ダイオード（ＯＬＥＤ）に供給することができる。このような場合、第６トランジスタ（ＴＲ６）は線形領域で動作することができる。即ち、第６トランジスタ（ＴＲ６）が発光制御信号（ＥＭ）の活性化区間の間第１トランジスタ（ＴＲ１）が生成した駆動電流（ＩＤ）を有機発光ダイオード（ＯＬＥＤ）に供給することによって、有機発光ダイオード（ＯＬＥＤ）は光を出力することができる。また、第６トランジスタ（ＴＲ６）が発光制御信号（ＥＭ）の不活性化区間の間第１トランジスタ（ＴＲ１）と有機発光ダイオード（ＯＬＥＤ）を電気的に互いに分離させることによって、第１トランジスタ（ＴＲ１）の第２端子に供給されたデータ信号（ＤＡＴＡ）（正確に言えば、しきい電圧補償されたデータ信号）が第１トランジスタ（ＴＲ１）のゲート端子に供給できる。
【００９０】
第７トランジスタ（ＴＲ７）はゲート端子、第１端子、第２端子を含むことができる。ゲート端子は、ダイオード初期化信号（ＧＢ）の供給を受けることができる。第１端子は、初期化電圧（ＶＩＮＴ）の供給を受けることができる。第２端子は、有機発光ダイオード（ＯＬＥＤ）の第１端子に連結できる。例示的な実施形態において、第１端子はソース端子で、第２端子はドレイン端子でありえる。任意選択的に、第１端子はドレイン端子で、第２端子はソース端子でありえる。
【００９１】
第７トランジスタ（ＴＲ７）はダイオード初期化信号（ＧＢ）の活性化区間の間初期化電圧（ＶＩＮＴ）を有機発光ダイオード（ＯＬＥＤ）の第１端子に供給することができる。このような場合、第７トランジスタ（ＴＲ７）は線形領域で動作することができる。即ち、第７トランジスタ（ＴＲ７）はダイオード初期化信号（ＧＢ）の活性化区間の間有機発光ダイオード（ＯＬＥＤ）の第１端子を初期化電圧（ＶＩＮＴ）に初期化させることができる。
【００９２】
任意選択的に、データ初期化信号（ＧＩ）とダイオード初期化信号（ＧＢ）は実質的に同一な信号でありえる。第１トランジスタ（ＴＲ１）のゲート端子を初期化させる動作と有機発光ダイオード（ＯＬＥＤ）の第１端子を初期化させる動作は互いに影響を及ぼせない。即ち、第１トランジスタ（ＴＲ１）のゲート端子を初期化させる動作と有機発光ダイオード（ＯＬＥＤ）の第１端子を初期化させる動作は互いに独立的でありえる。これによって、ダイオード初期化信号（ＧＢ）を別途に生成しないことによって、工程の経済性が向上できる。
【００９３】
ストレージキャパシタ（ＣＳＴ）は第１端子及び第２端子を含むことができる。ストレージキャパシタ（ＣＳＴ）は高電源電圧（ＥＬＶＤＤ）配線と第１トランジスタ（ＴＲ１）のゲート端子との間に連結できる。例えば、ストレージキャパシタ（ＣＳＴ）の第１端子は第１トランジスタ（ＴＲ１）のゲート端子に連結されることができ、ストレージキャパシタ（ＣＳＴ）の第２端子は高電源電圧（ＥＬＶＤＤ）配線に連結できる。ストレージキャパシタ（ＣＳＴ）はスキャン信号（ＧＷ）の不活性化区間の間第１トランジスタ（ＴＲ１）のゲート端子の電圧レベルを維持することができる。スキャン信号（ＧＷ）の不活性化区間は発光制御信号（ＥＭ）の活性化区間を含むことができ、発光制御信号（ＥＭ）の活性化区間の間第１トランジスタ（ＴＲ１）が生成した駆動電流（ＩＤ）は有機発光ダイオード（ＯＬＥＤ）に供給できる。したがって、ストレージキャパシタ（ＣＳＴ）が維持する電圧レベルに基づいて第１トランジスタ（ＴＲ１）が生成した駆動電流（ＩＤ）が有機発光ダイオード（ＯＬＥＤ）に供給できる。任意選択的に、サブ画素回路（SUB-PIXEL CIRCUIT）は第１乃至第７トランジスタ（ＴＲ１、ＴＲ２、ＴＲ３、ＴＲ４、ＴＲ５、ＴＲ６、ＴＲ７）（例えば、７個のトランジスタ）及び少なくとも１つのストレージキャパシタ（ＣＳＴ）などを含むこともできる。
【００９４】
図６は図２の第１乃至第３サブ表示領域に配置された中央信号配線、右側信号配線、及び左側信号配線を説明するための平面図であり、図７は図１の有機発光表示装置に含まれたファン−アウト配線及びダミーパターンを示す平面図であり、図８は図１の有機発光表示装置の“Ａ”領域を拡大図示した平面図であり、図９は例示的な実施形態に従う有機発光表示装置に含まれたファン−アウト配線及びダミーパターンの一例を示す平面図であり、図１０は例示的な実施形態に従う有機発光表示装置に含まれたファン−アウト配線及びダミーパターンの他の例を示す平面図である。例えば、説明の便宜のために図６の表示領域４０には中央信号配線５１０、右側信号配線５２０、及び左側信号配線５３０のみ図示されており、図７には表示領域４０に右側ファン−アウト配線４００、左側ファン−アウト配線５００、及びダミーパターン６００のみ図示されている。
【００９５】
図６、図７、及び図８を参照すると、有機発光表示装置１００は、基板（図示せず）、中央信号配線５１０、右側信号配線５２０及び左側信号配線５３０、右側ファン−アウト配線４００、左側ファン−アウト配線５００、ダミーパターン６００、パッド電極４７０などを含むことができる。ここで、有機発光表示装置１００が第１サブ表示領域１０、第２サブ表示領域２０及び第３サブ表示領域３０を含む表示領域４０、及びパッド領域６０を含むことによって、前記基板も第１サブ表示領域１０、第２サブ表示領域２０、第３サブ表示領域３０、及びパッド領域６０に区分できる。
【００９６】
前記基板上の第１サブ表示領域１０に中央信号配線５１０が配置されることができ、前記基板上の第２サブ表示領域２０に右側信号配線５２０が配置されることができ、前記基板上の第３サブ表示領域３０に左側信号配線５３０が配置できる。任意選択的に、中央信号配線５１０がパッド領域６０の一部に配置されることもできる。例えば、中央信号配線５１０は第１乃至第１３中央信号配線を含むことができる。
【００９７】
例示的な実施形態において、右側信号配線５２０は第２サブ表示領域２０のみに配置されることができ、左側信号配線５３０は第３サブ表示領域３０のみに配置できる。例えば、図８に図示したように、右側信号配線５２０は第１乃至第４右側信号配線５２１、５２２、５２３、５２４を含むことができる。また、左側ファン−アウト配線５００も第１乃至第４左側信号配線を含むことができる。ここで、第４右側信号配線５２４と前記第４左側信号配線が隣接して位置することができ（または、対向することができ）、第１右側信号配線５２１と前記第１左側信号配線が最外郭に配置できる。言い換えると、第１乃至第４右側信号配線５２１、５２２、５２３、５２４は第２サブ表示領域２０から第２方向（Ｄ２）に逆順で配列されることができ、第１乃至第４左側信号配線は第３サブ表示領域３０から第３方向（Ｄ３）に逆順で配列できる。即ち、第１乃至第４右側信号配線５２１、５２２、５２３、５２４は前記第１乃至第４左側信号配線と互いに対称でありえる。
【００９８】
例示的な実施形態において、中央信号配線５１０、右側信号配線５２０、及び左側信号配線５３０の各々はデータ信号配線（例えば、図５のデータ（ＤＡＴＡ）信号配線）に該当できる。即ち、中央信号配線５１０、右側信号配線５２０、及び左側信号配線５３０には外部装置１０１から前記データ信号が印加できる。また、中央信号配線５１０はファン−アウト配線無しでパッド電極４７０と電気的に連結できるが、右側信号配線５２０及び左側信号配線５３０の各々は、右側ファン−アウト配線４００及び左側ファン−アウト配線５００の各々を通じてパッド電極４７０と電気的に連結できる。さらに、中央信号配線５１０の第１方向（Ｄ１）への長さは右側信号配線５２０及び左側信号配線５３０の各々の第１方向（Ｄ１）の長さより長いことがある。
【００９９】
中央信号配線５１０、右側信号配線５２０、及び左側信号配線５３０上に右側ファン−アウト配線４００、左側ファン−アウト配線５００、及びダミーパターン６００が配置できる。
【０１００】
右側ファン−アウト配線４００は、前記基板上のパッド領域６０の一部、第１サブ表示領域１０、及び第２サブ表示領域２０に配置されることができ、右側ファン−アウト配線４００の各々は折曲部を含むことができる。例えば、右側ファン−アウト配線４００の各々は縦延長部及び横延長部を含むことができる。ここで、前記縦延長部はパッド領域６０の一部及び第１サブ表示領域１０に配置されることができ、第１方向（Ｄ１）に沿って延長することができる。また、前記横延長部は、第１サブ表示領域１０に位置する前記縦延長部の第１端部から第２方向（Ｄ２）に沿って延長することができる。例えば、前記縦延長部の第２端部はパッド領域６０に位置することができ、前記縦延長部の前記第２端部に反対になる前記第１端部は前記横延長部の第１端部と連結できる。前記横延長部の前記第１端部とは逆の第２端部は、右側ファン−アウト配線４００のうちの１つの右側ファン−アウト配線とコンタクトホールを通じて連結できる。
【０１０１】
図８に図示したように、右側ファン−アウト配線４００は第１乃至第４右側ファン−アウト配線４０１、４０２、４０３、４０４を含むことができる。第１右側ファン−アウト配線４０１は第１右側信号配線５２１と第１コンタクトホール７２１を通じて連結されることができ、第２右側ファン−アウト配線４０２は第２右側信号配線５２２と第２コンタクトホール７２２を通じて連結されることができ、第３右側ファン−アウト配線４０３は第３右側信号配線５２３と第３コンタクトホール７２３を通じて連結されることができ、第４右側ファン−アウト配線４０４は第４右側信号配線５２４と第４コンタクトホール７２４を通じて連結できる。第１乃至第４右側ファン−アウト配線４０１、４０２、４０３、４０４の各々のサイズは逐次減少することができる。
【０１０２】
例示的な実施形態において、右側ファン−アウト配線４００の各々において、前記縦延長部の前記第１端部及び前記横延長部の前記第１端部により折曲部が構成されることができ、前記縦延長部及び前記横延長部は一体形成できる。任意選択的に、右側ファン−アウト配線４００がパッド領域６０に配置されないこともある。
【０１０３】
左側ファン−アウト配線５００は前記基板上のパッド領域６０の一部、第１サブ表示領域１０及び第３サブ表示領域３０に配置されることができ、左側ファン−アウト配線５００の各々は折曲部を含むことができる。例えば、左側ファン−アウト配線５００の各々は縦延長部及び横延長部を含むことができる。ここで、前記縦延長部はパッド領域６０の一部及び第１サブ表示領域１０に配置されることができ、第１方向（Ｄ１）に沿って延長することができる。また、前記横延長部は第１サブ表示領域１０に位置する前記縦延長部の第１端部から第３方向（Ｄ３）に沿って延長することができる。例えば、前記縦延長部の第２端部はパッド領域６０に位置することができ、前記縦延長部の前記第２端部とは逆の前記第１端部は、前記横延長部の第１端部と連結できる。前記横延長部の前記第１端部とは逆の第２端部は、左側ファン−アウト配線５００のうちの１つの左側ファン−アウト配線とコンタクトホールを通じて連結できる。
【０１０４】
例えば、左側ファン−アウト配線５００は第１乃至第４左側ファン−アウト配線を含むことができる。前記第１左側ファン−アウト配線は前記第１左側信号配線と第５コンタクトホールを通じて連結されることができ、前記第２左側ファン−アウト配線は前記第２左側信号配線と第６コンタクトホールを通じて連結されることができ、前記第３左側ファン−アウト配線は前記第３左側信号配線と第７コンタクトホールを通じて連結されることができ、前記第４左側ファン−アウト配線は前記第４左側信号配線と第８コンタクトホールを通じて連結できる。前記第１乃至第４左側ファン−アウト配線の各々のサイズは、逐次減少することができる。
【０１０５】
例示的な実施形態において、左側ファン−アウト配線５００の各々において、前記縦延長部の前記第１端部及び前記横延長部の前記第１端部により折曲部が構成されることができ、前記縦延長部及び前記横延長部は一体形成できる。また、右側ファン−アウト配線４００と左側ファン−アウト配線５００は互いに対称でありえる。任意選択的に、左側ファン−アウト配線５００がパッド領域６０に配置されないこともある。
【０１０６】
ダミーパターン６００が第１サブ表示領域１０、第２サブ表示領域２０、及び第３サブ表示領域３０で右側ファン−アウト配線４００及び左側ファン−アウト配線５００と離隔して配置できる。ダミーパターン６００は、格子形状を有することができる。ダミーパターン６００は、複数の縦ダミーパターン、複数の横ダミーパターン、複数のサブ縦ダミーパターン、及び複数のサブ横ダミーパターンを含むことができる。
【０１０７】
ダミーパターン６００の前記縦ダミーパターンは、右側ファン−アウト配線４００及び左側ファン−アウト配線５００の各々の前記縦延長部から第１方向（Ｄ１）に離隔して配置されることができ、第１方向（Ｄ１）に沿って互いに離隔して配列できる。ダミーパターン６００の前記横ダミーパターンは、右側ファン−アウト配線４００の各々の前記横延長部から第３方向（Ｄ３）に離隔して配置されることができ、第３方向（Ｄ３）に沿って互いに離隔して配列できる。また、ダミーパターン６００の前記横ダミーパターンは左側ファン−アウト配線５００の各々の前記横延長部から第２方向（Ｄ２）へと離隔して配置されることができ、第２方向（Ｄ２）に沿って互いに離隔して配列できる。
【０１０８】
例えば、図８に図示したように、前記縦ダミーパターンは第１乃至第４縦ダミーパターン６０１、６０２、６０３、６０４を含むことができ、前記横ダミーパターンは第１乃至第４横ダミーパターン７０１、７０２、７０３、７０４を含むことができる。
【０１０９】
第１縦ダミーパターン６０１は第１右側ファン−アウト配線４０１の縦延長部から第１方向（Ｄ１）に離隔して配置されることができ、第１方向（Ｄ１）（例えば、前記縦延長部が延長する方向と実質的に同一の方向）に沿って互いに離隔して配列できる。
【０１１０】
第２縦ダミーパターン６０２は第２右側ファン−アウト配線４０２の縦延長部から第１方向（Ｄ１）に離隔して配置されることができ、第１方向（Ｄ１）（例えば、前記縦延長部が延長する方向と実質的に同一の方向）に沿って互いに離隔して配列できる。ここで、第２縦ダミーパターン６０２は第１右側ファン−アウト配線４０１の前記横延長部と離隔できる。言い換えると、第２縦ダミーパターン６０２同士の間に、第１右側ファン−アウト配線４０１の前記横延長部が介在できる。
【０１１１】
第３縦ダミーパターン６０３は第３右側ファン−アウト配線４０３の縦延長部から第１方向（Ｄ１）に離隔して配置されることができ、第１方向（Ｄ１）（例えば、前記縦延長部が延長する方向と実質的に同一の方向）に沿って互いに離隔して配列できる。ここで、第３縦ダミーパターン６０３は第１右側ファン−アウト配線４０１の前記横延長部及び第２右側ファン−アウト配線４０２の前記横延長部と離隔できる。
【０１１２】
第４縦ダミーパターン６０４は第４右側ファン−アウト配線４０４の縦延長部から第１方向（Ｄ１）に離隔して配置されることができ、第１方向（Ｄ１）（例えば、前記縦延長部が延長する方向と実質的に同一の方向）に沿って互いに離隔して配列できる。ここで、第４縦ダミーパターン６０４は、第１右側ファン−アウト配線４０１の前記横延長部、第２右側ファン−アウト配線４０２の前記横延長部、及び第３右側ファン−アウト配線４０３の前記横延長部と離隔できる。
【０１１３】
第１横ダミーパターン７０１は、第１右側ファン−アウト配線４０１の前記横延長部から第３方向（Ｄ３）に離隔して配置されることができ、第３方向（Ｄ３）に沿って互いに離隔して配列できる。但し、図９には１つの第１横ダミーパターンが図示されているが、サブ縦ダミーパターン８０１と、第１右側ファン−アウト配線４０１との間に少なくとも２つの第１横ダミーパターンが配置できる。
【０１１４】
第２横ダミーパターン７０２は第２右側ファン−アウト配線４０２の前記横延長部から第３方向（Ｄ３）に離隔して配置されることができ、第３方向（Ｄ３）に沿って互いに離隔して配列できる。ここで、第２横ダミーパターン７０２は第１右側ファン−アウト配線４０１の前記縦延長部と離隔できる。言い換えると、第２横ダミーパターン７０２同士の間に、第１右側ファン−アウト配線４０１の前記縦延長部が介在できる。
【０１１５】
第３横ダミーパターン７０３は第３右側ファン−アウト配線４０３の前記横延長部から第３方向（Ｄ３）に離隔して配置されることができ、第３方向（Ｄ３）に沿って互いに離隔して配列できる。ここで、第３横ダミーパターン７０３は、第２右側ファン−アウト配線４０２の前記縦延長部及び第１右側ファン−アウト配線４０１の前記縦延長部と離隔できる。言い換えると、第３横ダミーパターン７０３同士の間に第２右側ファン−アウト配線４０２の前記縦延長部及び第１右側ファン−アウト配線４０１の前記縦延長部が介在できる。
【０１１６】
第４横ダミーパターン７０４は第４右側ファン−アウト配線４０４の前記横延長部から第３方向（Ｄ３）に離隔して配置されることができ、第３方向（Ｄ３）に沿って互いに離隔して配列できる。ここで、第４横ダミーパターン７０４は第３右側ファン−アウト配線４０３の前記縦延長部、第２右側ファン−アウト配線４０２の前記縦延長部、及び第１右側ファン−アウト配線４０１の前記縦延長部と離隔できる。言い換えると、第４横ダミーパターン７０４同士の間に、第３右側ファン−アウト配線４０３の前記縦延長部、第２右側ファン−アウト配線４０２の前記縦延長部、及び第１右側ファン−アウト配線４０１の前記縦延長部が介在できる。
【０１１７】
また、前記縦ダミーパターンは第５乃至第８縦ダミーパターンをさらに含むことができ、前記横ダミーパターンは第５乃至第８横ダミーパターンをさらに含むことができる。
【０１１８】
前記第５縦ダミーパターンは、前記第１左側ファン−アウト配線の縦延長部から第１方向（Ｄ１）に離隔して配置されることができ、第１方向（Ｄ１）に沿って互いに離隔して配列できる。
【０１１９】
前記第６縦ダミーパターンは、前記第２左側ファン−アウト配線の縦延長部から第１方向（Ｄ１）に離隔して配置されることができ、第１方向（Ｄ１）に沿って互いに離隔して配列できる。ここで、前記第６縦ダミーパターンは、前記第１左側ファン−アウト配線の横延長部と離隔できる。言い換えると、前記第６縦ダミーパターン同士の間に、前記第１左側ファン−アウト配線の前記横延長部が介在できる。
【０１２０】
前記第７縦ダミーパターンは、前記第３左側ファン−アウト配線の縦延長部から第１方向（Ｄ１）に離隔して配置されることができ、第１方向（Ｄ１）に沿って互いに離隔して配列できる。ここで、前記第７縦ダミーパターンは、前記第１左側ファン−アウト配線の前記横延長部及び前記第２左側ファン−アウト配線の前記横延長部と離隔できる。言い換えると、前記第７縦ダミーパターン同士の間に、前記第１左側ファン−アウト配線の前記横延長部及び前記第２左側ファン−アウト配線の前記横延長部が介在できる。
【０１２１】
前記第８縦ダミーパターンは、前記第４左側ファン−アウト配線の縦延長部から第１方向（Ｄ１）に離隔して配置されることができ、第１方向（Ｄ１）に沿って互いに離隔して配列できる。ここで、第８縦ダミーパターンは、前記第１左側ファン−アウト配線の前記横延長部、前記第２左側ファン−アウト配線の前記横延長部、及び前記第３左側ファン−アウト配線の前記横延長部と離隔できる。言い換えると、前記第８縦ダミーパターン同士の間に、前記第１左側ファン−アウト配線の前記横延長部、前記第２左側ファン−アウト配線の前記横延長部、及び前記第３左側ファン−アウト配線の前記横延長部が介在できる。
【０１２２】
前記第５横ダミーパターンは、前記第１左側ファン−アウト配線の前記横延長部から第３方向（Ｄ３）に離隔して配置されることができ、第３方向（Ｄ３）に沿って互いに離隔して配列できる。但し、図７には１つの第５横ダミーパターンが図示されているが、サブ縦ダミーパターン８０１と前記第１左側ファン−アウト配線との間に、少なくとも２つの第５横ダミーパターンが配置できる。
【０１２３】
前記第６横ダミーパターンは、前記第２左側ファン−アウト配線の前記横延長部から第３方向（Ｄ３）に離隔して配置されることができ、第３方向（Ｄ３）に沿って互いに離隔して配列できる。ここで、前記第６横ダミーパターンは前記第１左側ファン−アウト配線の前記縦延長部と離隔できる。言い換えると、前記第６横ダミーパターン同士の間に、前記第１左側ファン−アウト配線の前記縦延長部が介在できる。
【０１２４】
前記第７横ダミーパターンは、前記第３左側ファン−アウト配線の前記横延長部から第３方向（Ｄ３）に離隔して配置されることができ、第３方向（Ｄ３）に沿って互いに離隔して配列できる。ここで、前記第７横ダミーパターンは前記第２左側ファン−アウト配線の前記縦延長部及び前記第１右側ファン−アウト配線の前記縦延長部と離隔できる。言い換えると、前記第７横ダミーパターン同士の間に、前記第２左側ファン−アウト配線の前記縦延長部及び前記第１右側ファン−アウト配線の前記縦延長部が介在できる。
【０１２５】
前記第８横ダミーパターンは、前記第４左側ファン−アウト配線の前記横延長部から第３方向（Ｄ３）に離隔して配置されることができ、第３方向（Ｄ３）に沿って互いに離隔して配列できる。ここで、前記第８横ダミーパターンは、前記第３左側ファン−アウト配線の前記縦延長部、前記第２左側ファン−アウト配線の前記縦延長部、及び前記第１左側ファン−アウト配線の前記縦延長部と離隔できる。言い換えると、前記第８横ダミーパターン同士の間に、前記第３左側ファン−アウト配線の前記縦延長部、前記第２左側ファン−アウト配線の前記縦延長部、及び前記第１左側ファン−アウト配線の前記縦延長部が介在できる。
【０１２６】
ダミーパターン６００の前記サブ横ダミーパターンは、右側ファン−アウト配線４００及び左側ファン−アウト配線５００の各々の横延長部から第１方向（Ｄ１）に離隔して配置されることができ、第３方向（Ｄ３）に沿って互いに離隔して配列できる。第３方向（Ｄ３）に沿って互いに離隔して配列された前記サブ横ダミーパターンは、第１方向（Ｄ１）に互いに離隔して反復的に配列できる。
【０１２７】
例えば、図８に図示したように、サブ横ダミーパターン９０１が第１右側ファン−アウト配線４０１の前記横延長部から第１方向（Ｄ１）に離隔して配置されることができ、第３方向（Ｄ３）に沿って互いに離隔して配列できる。第３方向（Ｄ３）に沿って互いに離隔して配列されたサブ横ダミーパターン９０１は第１方向（Ｄ１）に離隔して反復的に配列できる。
【０１２８】
ダミーパターン６００の前記サブ縦ダミーパターンは右側ファン−アウト配線４００と左側ファン−アウト配線５００の間に配置できる。言い換えると、前記サブ縦ダミーパターンは右側ファン−アウト配線４００から第３方向（Ｄ３）に離隔して配置、または左側ファン−アウト配線５００から第２方向（Ｄ２）に離隔して配置できる。
【０１２９】
例えば、図８に図示したように、右側ファン−アウト配線４００と左側ファン−アウト配線５００の間にサブ縦ダミーパターン８０１が配置されることができ、第１方向（Ｄ１）に互いに離隔して配列できる。サブ縦ダミーパターン８０１を基準にサブ縦ダミーパターン８０１の左側に配置されたダミーパターン６００とサブ縦ダミーパターン８０１の右側に配置されたダミーパターン６００は互いに対称でありえる。また、サブ縦ダミーパターン８０１を基準に右側ファン−アウト配線４００と左側ファン−アウト配線５００は互いに対称でありえる。
【０１３０】
さらに、ダミーパターン６００は、第１右側信号配線５２１と第２右側信号配線５２２との間、第２右側信号配線５２２と第３右側信号配線５２３との間、及び第３右側信号配線５２３と第４右側信号配線５２４との間にサブ縦ダミーパターンをさらに含むことができる。さらに、ダミーパターン６００は、前記第１左側信号配線と前記第２左側信号配線との間、前記第２左側信号配線と前記第３左側信号配線との間、及び前記第３左側信号配線と前記第４左側信号配線との間に、サブ縦ダミーパターンをさらに含むことができる。
【０１３１】
他の例示的な実施形態において、図９に図示したように、第１右側ファン−アウト配線４０１が第４右側信号配線５２４と第１コンタクトホール７２１を通じて連結されることができ、第２右側ファン−アウト配線４０２は第３右側信号配線５２３と第２コンタクトホール７２２を通じて連結されることができ、第３右側ファン−アウト配線４０３は第２右側信号配線５２２と第３コンタクトホール７２３を通じて連結されることができ、第４右側ファン−アウト配線４０４は第１右側信号配線５２１と第４コンタクトホール７２４を通じて連結されながら、第１右側信号配線５２１と第２右側信号配線５２２との間、第２右側信号配線５２２と第３右側信号配線５２３との間、及び第３右側信号配線５２３と第４右側信号配線５２４との間にダミーパターン６００が配置されないことがある。このような場合、第１乃至第４右側ファン−アウト配線４０１、４０２、４０３、４０４の各々のサイズは同一でありえる。
【０１３２】
更に他の例示的な実施形態において、図１０に図示したように、第４右側信号配線５２４と第３右側信号配線５２３との間、第３右側信号配線５２３と第２右側信号配線５２２との間、及び第２右側信号配線５２２と第１右側信号配線５２１との間にサブ縦ダミーパターン及びサブ横ダミーパターンがさらに配置されることもできる。
【０１３３】
前述したように、ダミーパターン６００が複数の縦ダミーパターン、複数の横ダミーパターン、複数のサブ縦ダミーパターン、及び複数のサブ横ダミーパターンを含むことによって、表示領域４０で格子形状を有することができる。
【０１３４】
例えば、従来の有機発光表示装置は右側信号配線及び左側信号配線にデータ信号を提供するために右側ファン−アウト配線及び左側ファン−アウト配線を含むことができる。前記従来の有機発光表示装置が前記右側ファン−アウト配線及び前記左側ファン−アウト配線を含む場合、前記従来の有機発光装置の表示領域のうち、前記右側ファン−アウト配線及び前記左側ファン−アウト配線が位置する部分（例えば、折曲部）でパターン及び／又はむらが視認されることがある。即ち、前記従来の有機発光表示装置の視認性が減少することがある。
【０１３５】
本発明の例示的な実施形態に従う有機発光表示装置１００は、ダミーパターン６００を含むことによって、ダミーパターン６００は、右側ファン−アウト配線４００及び左側ファン−アウト配線５００と共に表示領域４０に全体的に格子パターン形状を具現することができる。このような場合、有機発光表示装置１００にパターン及び／又はむらが視認されないのでありうる。これによって、有機発光表示装置１００の視認性が相対的に向上できる。
【０１３６】
但し、例示的な実施形態において、中央信号配線５１０が１３個の配線を含み、右側信号配線５２０、左側信号配線５３０、右側ファン−アウト配線４００、及び左側ファン−アウト配線５００の各々が４個の配線を含むものとして説明したが、本発明の構成がこれに限定されるのではない。
【０１３７】
例えば、右側ファン−アウト配線４００は第１乃至第Ｍ（但し、Ｍは１以上の整数）右側ファン−アウト配線を含むことができ、前記第１乃至第Ｍ右側ファン−アウト配線は順通りに互いに離隔して配列できる。ここで、前記第１乃至第Ｍ右側ファン−アウト配線は逐次配線の全長が減ることがある。前記第１乃至第Ｍ右側ファン−アウト配線のうち、第Ｋは（但し、Ｋは１とＭの間の整数）右側ファン−アウト配線は、パッド領域６０及び第１サブ表示領域１０に配置され、第１方向（Ｄ１）に沿って延長する縦延長部及び第１サブ表示領域１０に位置する前記縦延長部の第１端部から第２方向（Ｄ２）に沿って延長する横延長部を含むことができる。
【０１３８】
前記第Ｋ右側ファン−アウト配線の前記縦延長部の第２端部は、パッド領域６０に位置することができ、前記第Ｋ右側ファン−アウト配線の前記縦延長部の前記第２端部とは逆の前記第１端部は、前記横延長部の第１端部と連結できる。
【０１３９】
右側信号配線５２０は第１乃至第Ｎ（但し、Ｎは１以上の整数）右側信号配線を含むことができ、前記第１乃至第Ｎ右側信号配線は逆の順に配列され、互いに離隔して配置できる。ここで、第１サブ表示領域１０と第２サブ表示領域２０の境界と隣接して前記第Ｍ右側ファン−アウト配線及び前記第Ｎ右側信号配線が配置できる。
【０１４０】
前記第１乃至第Ｍ右側ファン−アウト配線のうちの前記第Ｋ右側ファン−アウト配線の前記横延長部は、前記第１乃至第Ｎ右側信号配線のうちの第Ｌ（但し、Ｌは１とＮの間の整数）右側信号配線とコンタクトホールを通じて連結できる。ここで、ＫとＬは同一の整数でありえる。
【０１４１】
前記第Ｋ右側ファン−アウト配線の前記縦延長部の前記第１端部と横延長部の前記第１端部により前記折曲部が構成されることができ、前記第Ｋ右側ファン−アウト配線の前記縦延長部及び前記横延長部は一体形成できる。
【０１４２】
ダミーパターン６００は第１乃至第Ｐ（但し、Ｐは１以上の整数）ダミーパターンを含むことができる。前記第１乃至第Ｐダミーパターンのうちの第Ｊ（但し、Ｊは１とＮの間の整数）ダミーパターンは、前記第Ｋ右側ファン−アウト配線の縦延長部から第１方向（Ｄ１）に離隔して配置され、第１方向（Ｄ１）に沿って互いに離隔して配列される複数の縦ダミーパターン、及び前記Ｋ右側ファン−アウト配線の横延長部から第３方向（Ｄ３）に離隔して配置され、第３方向（Ｄ３）に沿って互いに離隔して配列される複数の横ダミーパターンを含むことができる。
【０１４３】
前記第Ｊダミーパターンは前記第Ｋ右側ファン−アウト配線の縦延長部から第３方向（Ｄ３）に離隔して配置され、第１方向（Ｄ１）に沿って互いに離隔して配列される複数のサブ縦ダミーパターン、及び前記第Ｋ右側ファン−アウト配線の横延長部から第１方向（Ｄ１）に離隔して配置され、第３方向（Ｄ３）に沿って互いに離隔して配列される複数のサブ横ダミーパターンをさらに含むことができる。
【０１４４】
また、例示的な実施形態において、ダミーパターン６００が互いに離隔するものとして説明したが、本発明の構成がこれに限定されるのではない。例えば、他の例示的な実施形態において、ダミーパターン６００のうち、互いに隣接して位置する少なくとも２つのダミーパターン６００が一体形成されることもできる。
【０１４５】
図１１は図８のファン−アウト配線及びダミーパターンを説明するための平面図であり、図１２は図１１の有機発光表示装置の“Ｂ”領域を拡大図示したレイアウト図であり、図１３乃至図１５は図１２の“Ｂ”領域を説明するためのレイアウト図であり、図１６は図１２の有機発光表示装置をＩ−Ｉ’ラインに沿って切断した断面図である。説明の便宜のために、図１３乃至１５及び図１６を図１２より先に説明する。例えば、“Ｂ”領域は図１の複数のサブ画素回路領域５０のうちの１つのサブ画素回路領域５０に該当できる。
【０１４６】
図１３及び図１６を参照すると、有機発光表示装置１００は、基板１５０、アクティブパターン１１００、ゲート絶縁層１１６０、第１ゲート電極１１０５、第１ゲート配線１１１０、第２ゲート配線１１１５、第３ゲート配線１１２０などを含むことができる。
【０１４７】
基板１５０は透明なまたは不透明な材料を含むことができる。例えば、基板１５０は、石英基板、合成石英（synthetic quartz）基板、フッ化カルシウム（calcium fluoride）基板、フッ素がドーピングされた石英（F-doped quartz）基板、ソーダライム（sodalime）ガラス基板、無アルカリ（non-alkali）ガラス基板などを含むことができる。基板１５０は、サブ画素回路領域５０を有することができる。任意選択的に、基板１５０は軟性を有する透明樹脂基板からなることもできる。基板１５０に利用できる透明樹脂基板の例には、ポリイミド基板を挙げることができる。この場合、前記ポリイミド基板は第１ポリイミド層、バリアフィルム層、第２ポリイミド層などから構成できる。例えば、前記ポリイミド基板は硬質のガラス基板上に第１ポリイミド層、バリアフィルム層、及び第２ポリイミド層が積層された構成を有することができる。前記ポリイミド基板の第２ポリイミド層上に絶縁層（例えば、バッファ層）を配置した後、前記絶縁層上にサブ画素回路及び有機発光ダイオード（例えば、上部構造物）が配置できる。このような上部構造物の形成後、前記硬質のガラス基板が除去できる。即ち、前記ポリイミド基板は薄くてフレキシブルであるので、前記ポリイミド基板上に前記上部構造物を直接形成し難いことがある。このような点を考慮して、前記硬質のガラス基板を用いて前記上部構造物を形成した後、前記ガラス基板を除去することによって、前記ポリイミド基板が基板１５０に利用できる。
【０１４８】
基板１５０上にバッファ層（図示せず）が配置されることもできる。前記バッファ層は基板１５０上に全体的に配置できる。前記バッファ層は基板１５０から金属原子や不純物がトランジスタ及び有機発光ダイオード（例えば、サブ画素構造物１２００）に拡散する現象を防止することができ、アクティブパターン１１００を形成するための結晶化工程の間、熱の伝達速度を調節して実質的に均一なアクティブパターン１１００を収得するようにすることができる。また、前記バッファ層は基板１５０の表面が均一でない場合、基板１５０の表面の平坦度を向上させる役割を遂行することができる。基板１５０の類型によって基板１５０上に２つ以上のバッファ層が提供できるか、または前記バッファ層が配置されないことがある。例えば、前記バッファ層は有機物質または無機物質を含むことができる。
【０１４９】
アクティブパターン１１００が基板１５０上に配置できる。アクティブパターン１１００は、酸化物半導体、無機物半導体（例えば、アモルファスシリコン（amorphous silicon）、ポリシリコン（poly silicon））、または有機物半導体などを含むことができる。
【０１５０】
アクティブパターン１１００は第１乃至第１０領域（ａ、ｂ、ｃ、ｄ、ｅ、ｆ、ｇ、ｈ、ｉ、ｊ）（例えば、第１ゲート電極１１０５、第１ゲート配線１１１０、第２ゲート配線１１１５、及び第３ゲート配線１１２０とアクティブパターン１１００が重畳しない領域）を含むことができる。以下に説明されるコンタクトホールを形成する段階で、第１乃至第１０領域（ａ、ｂ、ｃ、ｄ、ｅ、ｆ、ｇ、ｈ、ｉ、ｊ）にはイオンドーピングが遂行されることができ、相対的に高い電気伝導度を有することができる。前記イオンはホウ素（boron Ｂ）イオンまたは燐（phosphorus Ｐ）イオンなどが使われることができる。第１乃至第１０領域（ａ、ｂ、ｃ、ｄ、ｅ、ｆ、ｇ、ｈ、ｉ、ｊ）は第１乃至第７トランジスタ（ＴＲ１＿１、ＴＲ１＿２、ＴＲ２、ＴＲ３＿１、ＴＲ３＿２、ＴＲ４＿１、ＴＲ４＿２、ＴＲ５、ＴＲ６、ＴＲ７）のソース電極またはドレイン電極を構成する領域を表示するためのものであって、領域間の境界が明確に区分されないことがあり、互いに電気的に連結されていることができる。例示的な実施形態において、第１トランジスタ（ＴＲ１）は駆動トランジスタに該当することができ、第２乃至第７トランジスタ（ＴＲ２、ＴＲ３＿１、ＴＲ３＿２、ＴＲ４＿１、ＴＲ４＿２、ＴＲ５、ＴＲ６、ＴＲ７）はスイッチングトランジスタに該当できる。
【０１５１】
アクティブパターン１１００上にはゲート絶縁層１１６０が配置できる。ゲート絶縁層１１６０は基板１５０上でアクティブパターン１１００を覆うことができ、基板１５０上に全体的に配置できる。例えば、ゲート絶縁層１１６０は基板１５０上でアクティブパターン１１００を十分に覆うことができ、アクティブパターン１１００の周囲に段差を生成させないで実質的に平坦な上面を有することができる。任意選択的に、ゲート絶縁層１１６０は基板１５０上でアクティブパターン１１００を覆い、均一な厚さでアクティブパターン１１００のプロファイルに沿って配置できる。ゲート絶縁層１１６０はシリコン化合物、金属酸化物などを含むことができる。例えば、ゲート絶縁層１１６０はシリコン酸化物（ＳｉＯｘ）、シリコン窒化物（ＳｉＮｘ）、シリコン酸窒化物（ＳｉＯｘＮｙ）、シリコン酸炭化物（ＳｉＯｘＣｙ）、シリコン炭窒化物（ＳｉＣｘＮｙ）、アルミニウム酸化物（ＡｌＯｘ）、アルミニウム窒化物（ＡｌＮｘ）、タンタリウム酸化物（ＴａＯｘ）、ハフニウム酸化物（ＨｆＯｘ）、ジルコニウム酸化物（ＺｒＯｘ）、チタニウム酸化物（ＴｉＯｘ）などを含むことができる。
【０１５２】
第１ゲート電極１１０５、第１ゲート配線１１１０、第２ゲート配線１１１５、及び第３ゲート配線１１２０がゲート絶縁層１１６０上に配置できる。即ち、第１ゲート電極１１０５、第１ゲート配線１１１０、第２ゲート配線１１１５、及び第３ゲート配線１１２０は同一の層に配置できる。第１ゲート電極１１０５、第１ゲート配線１１１０、第２ゲート配線１１１５、及び第３ゲート配線１１２０の各々は金属、合金、金属窒化物、導電性金属酸化物、透明導電性物質などを含むことができる。例えば、第１ゲート電極１１０５、第１ゲート配線１１１０、第２ゲート配線１１１５、及び第３ゲート配線１１２０の各々は、金（Ａｕ）、銀（Ａｇ）、アルミニウム（Ａｌ）、白金（Ｐｔ）、ニッケル（Ｎｉ）、チタニウム（Ｔｉ）、タングステン（Ｗ）、パラジウム（Ｐｄ）、マグネシウム（Ｍｇ）、カルシウム（Ｃａ）、リチウム（Ｌｉ）、クロム（Ｃｒ）、タンタリウム（Ｔａ）、モリブデニウム（Ｍｏ）、スカンジウム（Ｓｃ）、ネオジム（Ｎｄ）、イリジウム（Ｉｒ）、アルミニウムを含有する合金、アルミニウム窒化物（ＡｌＮｘ）、銀を含有する合金、タングステン窒化物（ＷＮｘ）、銅を含有する合金、モリブデニウムを含有する合金、チタニウム窒化物（ＴｉＮｘ）、タンタリウム窒化物（ＴａＮｘ）、ストロンチウムルテニウム酸化物（ＳｒＲｕｘＯｙ）、亜鉛酸化物（ＺｎＯｘ）、インジウムスズ酸化物（ＩＴＯ）、スズ酸化物（ＳｎＯｘ）、インジウム酸化物（ＩｎＯｘ）、ガリウム酸化物（ＧａＯｘ）、インジウム亜鉛酸化物（ＩＺＯ）などを含むことができる。これらは単独で、または互いに組み合わせて使われることができる。第１ゲート電極１１０５、第１ゲート配線１１１０、第２ゲート配線１１１５、及び第３ゲート配線１１２０は、同一の物質を使用して同時に形成できる。任意選択的に、第１ゲート電極１１０５、第１ゲート配線１１１０、第２ゲート配線１１１５、及び第３ゲート配線１１２０の各々は複数の層を含む多層構造で構成されることもできる。
【０１５３】
第１ゲート電極１１０５は、第１領域（ａ）及び第２領域（ｂ）と共に第１トランジスタ（ＴＲ１）を構成することができる。例示的な実施形態において、第１領域（ａ）はソース領域であり、第２領域（ｂ）はドレイン領域でありえる。任意選択的に、第１領域（ａ）はドレイン領域であり、第２領域（ｂ）はソース領域でありえる。第１領域（ａ）及び第２領域（ｂ）はイオンドーピングが遂行できる。一方、アクティブパターン１１００のうち、第１ゲート電極１１０５の下部に位置する領域はイオンドーピングが遂行されないことがある。例えば、第１領域（ａ）及び第２領域（ｂ）は導体として動作することができる。したがって、第１トランジスタ（ＴＲ１）はサブ画素構造物１２００（例えば、図５の有機発光ダイオード（ＯＬＥＤ）に対応）に供給される図５の駆動電流（ＩＤ）を生成することができ、サブ画素構造物１２００は駆動電流（ＩＤ）に基づいて光を出力することができる。
【０１５４】
第１ゲート配線１１１０は、アクティブパターン１１００及びゲート絶縁層１１６０上で第２方向（Ｄ２）に延びるゲート延長部及び前記ゲート延長部から第１方向（Ｄ１）に突出したゲート突出部を含むことができる。前記ゲート突出部は、第４領域（ｄ）及び第５領域（ｅ）と共に第３トランジスタ（ＴＲ３＿１）を構成することができる。例えば、前記ゲート突出部は第３トランジスタ（ＴＲ３＿１）のゲート電極として機能することができる。前記ゲート延長部の第１部分は第２領域（ｂ）及び第５領域（ｅ）と共に第３トランジスタ（ＴＲ３＿２）を構成することができ、前記ゲート延長部の第２部分は第１領域（ａ）及び第３領域（ｃ）と共に第２トランジスタ（ＴＲ２）を構成することができる。ここで、第３トランジスタ（ＴＲ３＿１）及び第３トランジスタ（ＴＲ３＿２）は直列に連結されることができ、デュアルゲートトランジスタとして動作することができる。例えば、前記デュアルゲートトランジスタがターン−オフされる場合、漏洩電流を減少させることができる。したがって、第３トランジスタ（ＴＲ３＿１）及び第３トランジスタ（ＴＲ３＿２）は第５領域（ｅ）を通じて電気的に連結できる。また、第１トランジスタ（ＴＲ１）、第２トランジスタ（ＴＲ２）、及び第５トランジスタ（ＴＲ５）は、第１領域（ａ）を通じて電気的に連結されることができ、第１トランジスタ（ＴＲ１）、第３トランジスタ（ＴＲ３＿２）、及び第６トランジスタ（ＴＲ６）は第２領域（ｂ）を通じて電気的に連結できる。
【０１５５】
第１領域（ａ）、第２領域（ｂ）、第３領域（ｃ）、第４領域（ｄ）、及び第５領域（ｅ）は、イオンドーピングが遂行できる。一方、アクティブパターン１００のうち、第１ゲート配線１１０の下部に位置する領域はイオンドーピングが遂行されないことがある。したがって、第１領域（ａ）、第２領域（ｂ）、第３領域（ｃ）、第４領域（ｄ）、及び第５領域（ｅ）は導体として動作することができ、アクティブパターン１００のうち、第１ゲート配線１１０の下部に位置する領域は、各々第２トランジスタ（ＴＲ２）のチャンネル及び第３トランジスタ（ＴＲ３＿１、ＴＲ３＿２）のチャンネルとして動作することができる。例示的な実施形態において、第１ゲート配線１１０は図５のスキャン信号（ＧＷ）の供給を受けることができる。
【０１５６】
例示的な実施形態において、第２トランジスタ（ＴＲ２）の第３領域（ｃ）、第３トランジスタ（ＴＲ３＿１）の第４領域（ｄ）、及び第３トランジスタ（ＴＲ３＿２）の第５領域（ｅ）の各々はソース領域でありえ、第２トランジスタ（ＴＲ２）の第１領域（ａ）、第３トランジスタ（ＴＲ３＿１）の第５領域（ｅ）、及び第３トランジスタ（ＴＲ３＿２）の第２領域（ｂ）の各々はドレイン領域でありえる。任意選択的に、第２トランジスタ（ＴＲ２）の第３領域（ｃ）、第３トランジスタ（ＴＲ３＿１）の第４領域（ｄ）、及び第３トランジスタ（ＴＲ３＿２）の第５領域（ｅ）の各々はドレイン領域であり、第２トランジスタ（ＴＲ２）の第１領域（ａ）、第３トランジスタ（ＴＲ３＿１）の第５領域（ｅ）、及び第３トランジスタ（ＴＲ３＿２）の第２領域（ｂ）の各々はソース領域でありえる。
【０１５７】
第２ゲート配線１１１５はアクティブパターン１１００及びゲート絶縁層１１６０上で第２方向（Ｄ２）に延長できる。第２ゲート配線１１１５は第６領域（ｆ）及び第１０領域（ｊ）と共に第７トランジスタ（ＴＲ７）を構成することができ、第６領域（ｆ）及び第７領域（ｇ）と共に第４トランジスタ（ＴＲ４＿１）を構成することができ、第７領域（ｇ）及び第４領域（ｄ）と共に第４トランジスタ（ＴＲ４＿１）を構成することができる。ここで、第４トランジスタ（ＴＲ４＿１）及び第４トランジスタ（ＴＲ４＿２）は直列に連結されることができ、デュアルゲートトランジスタとして動作することができる。例えば、前記デュアルゲートトランジスタがターン−オフされる場合、漏洩電流を減少させることができる。したがって、第４トランジスタ（ＴＲ４＿１）及び第４トランジスタ（ＴＲ４＿１）は第７領域（ｇ）を通じて電気的に連結できる。また、第７トランジスタ（ＴＲ７）及び第４トランジスタ（ＴＲ４＿１）は第６領域（ｆ）を通じて電気的に連結されることができ、第１０領域（ｊ）は第１方向（Ｄ１）に隣接したサブ画素回路領域５０に配置されたアクティブパターンの第９領域（ｉ）と電気的に連結できる。
【０１５８】
第４領域（ｄ）、第６領域（ｆ）、第７領域（ｇ）、及び第１０領域（ｊ）は、イオンドーピングが遂行できる。一方、アクティブパターン１１００のうち、第２ゲート配線１１１５の下部に位置する領域はイオンドーピングが遂行されないことがある。したがって、第４領域（ｄ）、第６領域（ｆ）、第７領域（ｇ）、及び第１０領域（ｊ）は導体として動作することができ、アクティブパターン１１００のうち、第２ゲート配線１１１５の下部に位置する領域は第４トランジスタ（ＴＲ４＿１）のチャンネル、第４トランジスタ（ＴＲ４＿２）のチャンネル、及び第７トランジスタ（ＴＲ７）のチャンネルとして動作することができる。例示的な実施形態において、第２ゲート配線１１１５は図５のデータ初期化信号（ＧＩ）の供給を受けることができ、第６領域（ｆ）は図５の初期化電圧（ＶＩＮＴ）の供給を受けることができる。
【０１５９】
例示的な実施形態において、第７トランジスタ（ＴＲ７）の第１０領域（ｊ）、第４トランジスタ（ＴＲ４＿２）の第６領域（ｆ）、及び第４トランジスタ（ＴＲ４＿１）の第７領域（ｇ）の各々はソース領域でありえ、第７トランジスタ（ＴＲ７）の第６領域（ｆ）、第４トランジスタ（ＴＲ４＿２）の第７領域（ｇ）、及び第４トランジスタ（ＴＲ４＿１）の第４領域（ｄ）の各々はドレイン領域でありえる。任意選択的に、第７トランジスタ（ＴＲ７）の第１０領域（ｊ）、第４トランジスタ（ＴＲ４＿２）の第６領域（ｆ）、及び第４トランジスタ（ＴＲ４＿１）の第７領域（ｇ）の各々はドレイン領域で、第７トランジスタ（ＴＲ７）の第６領域（ｆ）、第４トランジスタ（ＴＲ４＿２）の第７領域（ｇ）、及び第４トランジスタ（ＴＲ４＿１）の第４領域（ｄ）の各々はソース領域でありえる。
【０１６０】
第３ゲート配線１１２０は、第１領域（ａ）及び第８領域（ｈ）と共に第５トランジスタ（ＴＲ５）を構成することができ、第２領域（ｂ）及び第９領域（ｉ）と共に第６トランジスタ（ＴＲ６）を構成することができる。第１領域（ａ）、第２領域（ｂ）、第８領域（ｈ）、及び第９領域（ｉ）はイオンドーピングが遂行できる。一方、アクティブパターン１１００のうち、第３ゲート配線１２０の下部に位置する領域はイオンドーピングが遂行されないことがある。したがって、第１領域（ａ）、第２領域（ｂ）、第８領域（ｈ）、及び第９領域（ｉ）は導体として動作することができ、アクティブパターン１１００のうち、第３ゲート配線１１２０の下部に位置する領域は各々第５トランジスタ（ＴＲ５）のチャンネル及び第６トランジスタ（ＴＲ６）のチャンネルとして動作することができる。例示的な実施形態において、第３ゲート配線１１２０は図５の発光制御信号（ＥＭ）の供給を受けることができる。
【０１６１】
例示的な実施形態において、第５トランジスタ（ＴＲ５）の第８領域（ｈ）及び第６トランジスタ（ＴＲ６）の第９領域（ｉ）の各々はソース領域でありえ、第５トランジスタ（ＴＲ５）の第１領域（ａ）、及び第６トランジスタ（ＴＲ６）の第２領域（ｂ）の各々はドレイン領域でありえる。任意選択的に、第５トランジスタ（ＴＲ５）の第８領域（ｈ）、及び第６トランジスタ（ＴＲ６）の第９領域（ｉ）の各々はドレイン領域でありえ、第５トランジスタ（ＴＲ５）の第１領域（ａ）、及び第６トランジスタ（ＴＲ６）の第２領域（ｂ）の各々はソース領域でありえる。
【０１６２】
図１４及び図１６を参照すると、有機発光表示装置１００は第１層間絶縁層１１９０、第２ゲート電極１１３０、導電パターン１１５０、及び初期化電圧配線１１４０をさらに含むことができる。
【０１６３】
第１ゲート電極１１０５、第１ゲート配線１１１０、第２ゲート配線１１１５、第３ゲート配線１１２０上には第１層間絶縁層１１９０が配置できる。第１層間絶縁層１１９０はゲート絶縁層１１６０上で第１ゲート電極１１０５、第１ゲート配線１１１０、第２ゲート配線１１１５、第３ゲート配線１１２０を覆うことができ、ゲート絶縁層１１６０上に全体的に配置できる。例えば、第１層間絶縁層１１９０はゲート絶縁層１１６０上で第１ゲート電極１１０５、第１ゲート配線１１１０、第２ゲート配線１１１５、第３ゲート配線１１２０を十分に覆うことができ、第１ゲート電極１１０５、第１ゲート配線１１１０、第２ゲート配線１１１５、第３ゲート配線１１２０の周囲に段差を生成させないで実質的に平坦な上面を有することができる。任意選択的に、第１層間絶縁層１１９０はゲート絶縁層１１６０上で第１ゲート電極１１０５、第１ゲート配線１１１０、第２ゲート配線１１１５、第３ゲート配線１１２０を覆い、均一な厚さで第１ゲート電極１１０５、第１ゲート配線１１１０、第２ゲート配線１１１５、第３ゲート配線１１２０のプロファイルに沿って配置できる。第１層間絶縁層１１９０はシリコン化合物、金属酸化物などを含むことができる。
【０１６４】
第２ゲート電極１１３０、導電パターン１１５０、及び初期化電圧配線１１４０が第１層間絶縁層１１９０上に配置できる。即ち、第２ゲート電極１１３０、導電パターン１１５０、及び初期化電圧配線１１４０は同一の層に配置できる。第２ゲート電極１１３０、導電パターン１１５０、及び初期化電圧配線１１４０の各々は金属、合金、金属窒化物、導電性金属酸化物、透明導電性物質などを含むことができる。これらは単独で、または互いに組み合わせて使われることができる。第２ゲート電極１１３０、導電パターン１１５０、及び初期化電圧配線１１４０は同一の物質を使用して同時に形成できる。任意選択的に、第２ゲート電極１１３０、導電パターン１１５０、及び初期化電圧配線１１４０の各々は複数の層を含む多層構造で構成されることもできる。
【０１６５】
第２ゲート電極１１３０は、第１層間絶縁層１１９０上で第２方向（Ｄ２）に延長できる。第２ゲート電極１１３０は、第１ゲート電極１１０５と重畳できる。これによって、第２ゲート電極１１３０は第１ゲート電極１１０５と共に図５のストレージキャパシタ（ＣＳＴ）を構成することができる。第２ゲート電極１１３０は、図５の高電源電圧（ＥＬＶＤＤ）の供給を受けることができる。また、第２ゲート電極１１３０は第１ゲート電極１１０５の一部を露出させる開口を有することができる。第１ゲート電極１１０５は、前記開口を通じて以後に説明される第１連結パターン１２３０を通じて図５の初期化電圧（ＶＩＮＴ）の供給を受けることができる。
【０１６６】
初期化電圧配線１１４０は、第１層間絶縁層１１９０上で第２方向（Ｄ２）に延長できる。初期化電圧配線１１４０は第６領域（ｆ）と重畳することができ、以下に説明される第２連結パターン１４３０を通じて第６領域（ｆ）に初期化電圧（ＶＩＮＴ）を提供することができる。
【０１６７】
導電パターン１１５０は、第４領域（ｄ）及び第３領域（ｃ）の少なくとも一部と重畳するように配置できる。例えば、導電パターン１１５０はサブ画素回路領域５０の第４領域（ｄ）及び第２方向（Ｄ２）に隣接して位置するサブ画素回路領域５０の第３領域（ｃ）に重畳できる。即ち、導電パターン１１５０は有機発光表示装置１００の平面図で第１ゲート配線１１１０と第２ゲート配線１１１５の間に介され、第２方向（Ｄ２）に延びることができ、導電パターン１１５０は第１ゲート配線１１１０及び第２ゲート配線１１１５と重畳しないことがある。これによって、導電パターン１１５０は第４領域（ｄ）の少なくとも一部及び第３領域（ｃ）の少なくとも一部と共に寄生キャパシタを構成することができる。また、導電パターン１１５０は第５領域（ｅ）の少なくとも一部と重畳するように配置できる。即ち、導電パターン１１５０は第３領域（ｃ）、第４領域（ｄ）、及び第５領域（ｅ）の少なくとも一部と重畳するように配置できる。導電パターン１１５０は、以後に説明する高電源電圧配線１２９０を通じて、図５の高電源電圧（ＥＬＶＤＤ）の供給を受けることができる。
【０１６８】
図１５及び図１６を参照すると、有機発光表示装置１００は第２層間絶縁層１１９５、高電源電圧配線１２９０、データ配線１１９１、第１連結パターン１２３０、第２連結パターン１４３０、及び第３連結パターン１３９０、第１平坦化層１２７０などをさらに含むことができる。
【０１６９】
第２ゲート電極１１３０、導電パターン１１５０、及び初期化電圧配線１１４０上に第２層間絶縁層１１９５が配置できる。第２層間絶縁層１１９５は、第１層間絶縁層１１９０上で第２ゲート電極１１３０、導電パターン１１５０、及び初期化電圧配線１１４０を覆うことができ、第１層間絶縁層１１９０上に全体的に配置できる。例えば、第２層間絶縁層１１９５は第１層間絶縁層１１９０上で第２ゲート電極１１３０、導電パターン１１５０、及び初期化電圧配線１１４０を十分に覆うことができ、第２ゲート電極１１３０、導電パターン１１５０、及び初期化電圧配線１１４０の周囲に段差を生成させないで実質的に平坦な上面を有することができる。任意選択的に、第２層間絶縁層１１９５は第１層間絶縁層１１９０上で第２ゲート電極１１３０、導電パターン１１５０、及び初期化電圧配線１１４０を覆い、均一な厚さで第２ゲート電極１１３０及び初期化電圧配線１１４０のプロファイルに沿って配置できる。第２層間絶縁層１１９５はシリコン化合物、金属酸化物などを含むことができる。
【０１７０】
高電源電圧配線１２９０、データ配線１１９１、第１連結パターン１２３０、第２連結パターン１４３０、及び第３連結パターン１３９０が第２層間絶縁層１１９５上に配置できる。即ち、高電源電圧配線１２９０、データ配線１１９１、第１連結パターン１２３０、第２連結パターン１４３０、及び第３連結パターン１３９０は同一の層に配置できる。高電源電圧配線１２９０、データ配線１１９１、第１連結パターン１２３０、第２連結パターン１４３０、及び第３連結パターン１３９０の各々は、金属、合金、金属窒化物、導電性金属酸化物、透明導電性物質などを含むことができる。これらは単独で、または互いに組み合わせて使われることができる。高電源電圧配線１２９０、データ配線１１９１、第１連結パターン１２３０、第２連結パターン１４３０、及び第３連結パターン１３９０は同一の物質を使用して同時に形成できる。任意選択的に、高電源電圧配線１２９０、データ配線１１９１、第１連結パターン１２３０、第２連結パターン１４３０、及び第３連結パターン１３９０の各々は、複数の層を含む多層構造で構成されることもできる。
【０１７１】
データ配線１１９１は第２層間絶縁層１１９５上で第１方向（Ｄ１）に延びることができ、コンタクトホール１２１０を通じてアクティブパターン１００の第３領域（ｃ）に接続できる。データ配線１１９１は、図５のデータ信号（ＤＡＴＡ）の供給を受けることができる。これによって、データ配線１１９１はコンタクトホール１２１０を通じてアクティブパターン１１００の第３領域（ｃ）にデータ信号（ＤＡＴＡ）を供給することができる。ここで、階調を表現するためにデータ信号（ＤＡＴＡ）の電圧レベルが変更できる。
【０１７２】
高電源電圧配線１２９０は第２層間絶縁層１１９５上でデータ配線１１９１と離隔して第１方向（Ｄ１）に延びることができ、コンタクトホール１３５５通じてアクティブパターン１１００の第８領域（ｈ）に接続されることができ、コンタクトホール１３６０を通じて第２ゲート電極１１３０に接続できる。高電源電圧配線１２９０は、図５の高電源電圧（ＥＬＶＤＤ）の供給を受けることができる。これによって、高電源電圧配線１２９０はコンタクトホール１３５５通じてアクティブパターン１１００の第８領域（ｈ）及びコンタクトホール１３６０を通じて第２ゲート電極１１３０に高電源電圧（ＥＬＶＤＤ）を供給することができる。
【０１７３】
第１連結パターン１２３０は第２層間絶縁層１１９５上で第１方向（Ｄ１）に延びることができ、アクティブパターン１１００の第４領域（ｄ）の一部及び第２ゲート電極の前記開口を通じて露出した第１ゲート電極１１０５の一部と重畳できる。第１連結パターン１２３０はアクティブパターン１１００の第４領域（ｄ）とコンタクトホール１２５０を通じて接続されることができ、第１ゲート電極１１０５とコンタクトホール１２７１を通じて接続できる。アクティブパターン１１００の第４領域（ｄ）は初期化電圧（ＶＩＮＴ）の供給を受けることができ、第１連結パターン１２３０を通じて第１ゲート電極１１０５に初期化電圧（ＶＩＮＴ）が印加できる。
【０１７４】
第２連結パターン１４３０は、第２層間絶縁層１１９５上で初期化電圧配線１１４０の一部及びアクティブパターン１１００の第６領域（ｆ）の一部と重畳して配置できる。第２連結パターン１４３０は初期化電圧配線１１４０とコンタクトホール１４５０を通じて接続されることができ、アクティブパターン１１００の第６領域（ｆ）とコンタクトホール１４７０を通じて接続できる。第２連結パターン１４３０を通じて初期化電圧（ＶＩＮＴ）がアクティブパターン１１００の第６領域（ｆ）に供給できる。
【０１７５】
第３連結パターン１３９０は、第２層間絶縁層１１９５上でアクティブパターン１１００の第９領域（ｉ）と重畳して配置できる。第３連結パターン１３９０はコンタクトホール１４１０を通じてアクティブパターン１１００の第９領域（ｉ）に接続されることができ、下部電極１２９１と電気的に連結されることができ、下部電極１２９１に駆動電流を供給することができる。
【０１７６】
第２層間絶縁層１１９５、高電源電圧配線１２９０、データ配線１１９１、第１連結パターン１２３０、第２連結パターン１４３０、及び第３連結パターン１３９０上に第１平坦化層１２７０が配置できる。第１平坦化層１２７０は、第６トランジスタ（ＴＲ６）と連結された第３連結パターン１３９０の一部を露出させるコンタクトホールを有することができる。第１平坦化層１２７０は、第２層間絶縁層１１９５上で高電源電圧配線１２９０、データ配線１１９１、第１連結パターン１２３０、第２連結パターン１４３０、及び第３連結パターン１３９０を十分に覆うように相対的に厚い厚さで配置されることができ、このような場合、第１平坦化層１２７０は実質的に平坦な上面を有することができ、このような第１平坦化層１２７０の平坦な上面を具現するために第１平坦化層１２７０に対して平坦化工程が追加できる。第１平坦化層１２７０は、有機物質または無機物質などを含むことができる。例示的な実施形態において、第１平坦化層１２７０は有機物質を含むことができる。例えば、第１平坦化層１２７０はフォトレジスト（photoresist）、ポリアクリル系樹脂（polyacryl-based resin）、ポリイミド系樹脂（polyimide-based resin）、ポリアミド系樹脂（polyamide-based resin）、シロキサン系樹脂（siloxane-based resin）、アクリル系樹脂（acryl-based resin）、エポキシ系樹脂（epoxy-based resin）などを含むことができる。
【０１７７】
図１２及び図１６を参照すると、有機発光表示装置１００は第１右側ファン−アウト配線４０１、連結電極１３９５、第２平坦化層１２７５、画素区画膜１３１０、サブ画素構造物１２００、封止基板１４５０などをさらに含むことができる。ここで、サブ画素構造物１２００は下部電極１２９１、発光層１３３０、及び上部電極１３４０をさらに含むことができる。
【０１７８】
第１平坦化層１２７０上に第１右側ファン−アウト配線４０１、連結電極１３９５、及び第１横ダミーパターン７０１が配置できる。即ち、第１右側ファン−アウト配線４０１、連結電極１３９５、及び第１横ダミーパターン７０１は同一の層に配置できる。第１右側ファン−アウト配線４０１、連結電極１３９５、及び第１横ダミーパターン７０１の各々は、金属、合金、金属窒化物、導電性金属酸化物、透明導電性物質などを含むことができる。これらは単独で、または互いに組み合わせて使われることができる。第１右側ファン−アウト配線４０１、連結電極１３９５、及び第１横ダミーパターン７０１は同一の物質を使用して同時に形成できる。任意選択的に、第１右側ファン−アウト配線４０１、連結電極１３９５、及び第１横ダミーパターン７０１の各々は、複数の層を含む多層構造で構成されることもできる。
【０１７９】
有機発光表示装置１００の平面図で、第１右側ファン−アウト配線４０１は第１平坦化層１２７０上で第１方向（Ｄ１）に沿って延長する縦延長部及び第２方向（Ｄ２）に沿って延長する横延長部を含むことができる。例示的な実施形態において、前記縦延長部の下に高電源電圧配線１２９０が位置することができ、第１右側ファン−アウト配線４０１の一部（例えば、前記縦延長部）は高電源電圧配線１２９０と重畳することができる。第１右側ファン−アウト配線４０１は図５のデータ信号（ＤＡＴＡ）の供給を受けることができ、第４右側信号配線５２４にデータ信号（ＤＡＴＡ）を伝達することができる。
【０１８０】
有機発光表示装置１００の平面図で、第１横ダミーパターン７０１は第１平坦化層１２７０上で第１右側ファン−アウト配線４０１の前記横延長部から第３方向（Ｄ３）に離隔して前記横延長部と実質的に平行に配置できる。第１横ダミーパターン７０１は互いに離隔して第３方向（Ｄ３）に沿って配列できる。他の例示的な実施形態において、第１横ダミーパターン７０１のうち、隣接した少なくとも２つの第１横パターンは一体形成されることもできる。
【０１８１】
連結電極１３９５は、第１平坦化層１２７０のうち、下部に第３連結パターン１３９０が位置する部分上に配置できる。連結電極１３９５は、第１平坦化層１２７０の一部を除去して形成されたコンタクトホールを通じて第３連結パターン１３９０に接続されることができ、下部電極１２９０と第３連結パターン１３９０を電気的に連結させることができる。
【０１８２】
第１右側ファン−アウト配線４０１、連結電極１３９５、及び第１横ダミーパターン７０１上に第２平坦化層１２７５が配置できる。第２平坦化層１２７５は、連結電極１３９５の一部を露出させるコンタクトホールを有することができる。第２平坦化層１２７５は、第１平坦化層１２７０上で第１右側ファン−アウト配線４０１、連結電極１３９５、及び第１横ダミーパターン７０１を十分に覆うように相対的に厚い厚さで配置されることができ、このような場合、第２平坦化層１２７５は実質的に平坦な上面を有することができ、このような第２平坦化層１２７５の平坦な上面を具現するために第２平坦化層１２７５に対して平坦化工程が追加できる。第２平坦化層１２７５は、有機物質または無機物質などを含むことができる。例示的な実施形態において、第２平坦化層１２７５は有機物質を含むことができる。
【０１８３】
下部電極１２９１は、第２平坦化層１２７５上に配置できる。下部電極１２９１は、第２平坦化層１２７５のコンタクトホールを通じて連結電極１３９５と直接的に接触することができ、連結電極１３９５を通じて第６トランジスタ（ＴＲ６）と電気的に連結できる。これによって、下部電極１２９１は連結電極１３９５を通じて図５の駆動電流（ＩＤ）の供給を受けることができる。例示的な実施形態において、下部電極１２９１はアノード電極でありえる。任意選択的に、下部電極１２９１はカソード電極でありえる。下部電極１２９１は、金属、合金、金属窒化物、導電性金属酸化物、透明導電性物質などを含むことができる。これらは単独で、または互いに組み合わせて使われることができる。下部電極１２９１は、複数の層を含む多層構造を有することもできる。
【０１８４】
画素区画膜１３１０は、下部電極１２９１の一部及び第２平坦化層１２７５上に配置できる。画素区画膜１３１０は下部電極１２９１の両側部を覆うことができ、下部電極１２９１の上面の一部を露出させる開口を有することができる。画素区画膜１３１０は、有機物質または無機物質からなることができる。例示的な実施形態において、画素区画膜１３１０は有機物質を含むことができる。
【０１８５】
発光層１３３０は、画素区画膜１３１０により露出した下部電極１２９１上に配置できる。発光層１３３０は、サブ画素によって相異する色光（即ち、赤色光、緑色光、青色光など）を放出させることができる発光物質のうち、少なくとも１つを使用して形成できる。これとは異なり、発光層１３３０は赤色光、緑色光、青色光などの異なる色光を発生させることができる複数の発光物質を積層して全体的に白色光を放出することができる。このような場合、発光層１３３０上にカラーフィルタが配置（例えば、封止基板４５０の上面に発光層１３３０と重畳するように配置）されることもできる。前記カラーフィルタは、赤色カラーフィルタ、緑色カラーフィルタ、青色カラーフィルタのうち、少なくとも１つを含むことができる。任意選択的に、前記カラーフィルタは黄色（Yellow）カラーフィルタ、青藍色（Cyan）カラーフィルタ、及び紫朱色（Magenta）カラーフィルタを含むこともできる。前記カラーフィルタは、感光性樹脂、カラーフォトレジストなどを含むことができる。
【０１８６】
上部電極１３４０は、画素区画膜１３１０及び発光層１３３０上に配置できる。上部電極１３４０は、画素区画膜１３１０及び発光層１３３０を覆って、基板１５０上に全体的に配置できる。例示的な実施形態において、上部電極１３４０はカソード電極でありえ、図５の低電源電圧（ＥＬＶＳＳ）の供給を受けることができる。任意選択的に、上部電極１３４０はアノード電極でありえる。上部電極１３４０は金属、合金、金属窒化物、導電性金属酸化物、透明導電性物質などを含むことができる。これらは単独で、または互いに組み合わせて使われることができる。任意選択的に、上部電極１３４０は複数の層を含む多層構造で構成されることもできる。これによって、下部電極１２９１、発光層１３３０、及び上部電極１３４０を含むサブ画素構造物１２００が構成できる。
【０１８７】
上部電極１３４０上に封止基板１４５０が配置できる。封止基板１４５０は、実質的に基板１５０と同一の材料を含むことができる。例えば、封止基板１４５０は石英基板、合成石英基板、フッ化カルシウム、またはフッ素がドーピングされた石英基板、ソーダライムガラス基板、無アルカリガラス基板などを含むことができる。他の例示的な実施形態において、封止基板１４５０は透明無機物質またはフレキシブルプラスチックで構成できる。例えば、封止基板１４５０は軟性を有する透明樹脂基板を含むこともできる。この場合、有機発光表示装置１００の可撓性を向上させるために、少なくとも１つの無機層及び少なくとも１つの有機層が交互に積層される構造を有することができる。前記積層構造は、第１無機層、有機層及び第２無機層で構成できる。例えば、上部電極１３４０のプロファイルに沿って可撓性を有する第１無機層が配置されることができ、前記第１無機層上に可撓性を有する有機層が配置されることができ、前記有機層上に可撓性を有する第２無機層が配置できる。即ち、前記積層構造は上部電極１３４０と直接的に接触する薄膜封止構造物に該当できる。
【０１８８】
図１７は図１１の有機発光表示装置の“Ｃ”領域を拡大図示したレイアウト図であり、図１８は図１７の有機発光表示装置をＩＩ−ＩＩ’ラインに沿って切断した断面図である。
【０１８９】
図１１、図１７、及び図１８を参照すると、有機発光表示装置１００はサブ縦ダミーパターン８０１及びサブ横ダミーパターン９０１をさらに含むことができる。
【０１９０】
第１平坦化層１２７０上にサブ縦ダミーパターン８０１及びサブ横ダミーパターン９０１が配置できる。即ち、サブ縦ダミーパターン８０１及びサブ横ダミーパターン９０１は同一の層に配置できる。サブ縦ダミーパターン８０１及びサブ横ダミーパターン９０１の各々は、金属、合金、金属窒化物、導電性金属酸化物、透明導電性物質などを含むことができる。これらは単独で、または互いに組み合わせて使われることができる。サブ縦ダミーパターン８０１及びサブ横ダミーパターン９０１は、同一の物質を使用して同時に形成できる。任意選択的に、サブ縦ダミーパターン８０１及びサブ横ダミーパターン９０１の各々は複数の層を含む多層構造で構成されることもできる。
【０１９１】
有機発光表示装置１００の平面図で、サブ縦ダミーパターン８０１は第１平坦化層１２７０上で第１右側ファン−アウト配線４０１の前記縦延長部から第３方向（Ｄ３）に離隔して前記縦延長部と実質的に平行に配置できる。サブ縦ダミーパターン８０１は互いに離隔して第１方向（Ｄ１）に沿って配列できる。例示的な実施形態において、サブ縦ダミーパターン８０１の下に高電源電圧配線１２９０が位置することができ、サブ縦ダミーパターン８０１は高電源電圧配線１２９０と重畳することができる。任意選択的に、サブ縦ダミーパターン８０１はコンタクトホールを通じて高電源電圧配線１２９０（または、初期化電圧配線１１４０）と電気的に連結されることもできる。このような場合、サブ縦ダミーパターン８０１に図５の高電源電圧（ＥＬＶＤＤ）が印加できる。他の例示的な実施形態において、サブ縦ダミーパターン８０１のうち、隣接した少なくとも２つのサブ縦ダミーパターンは一体形成できる。
【０１９２】
有機発光表示装置１００の平面図で、サブ横ダミーパターン９０１は第１平坦化層１２７０上で第１右側ファン−アウト配線４０１の前記横延長部から第１方向（Ｄ１）に離隔して前記横延長部と実質的に平行に配置できる。サブ横ダミーパターン９０１は互いに離隔して第１方向（Ｄ１）に沿って配列できる。他の例示的な実施形態において、サブ横ダミーパターン９０１のうち、隣接した２つのサブ横ダミーパターンが一体形成されることもできる。
【０１９３】
図１９は図１１の有機発光表示装置の“Ｄ”領域を拡大図示したレイアウト図であり、図２０は図１９の有機発光表示装置をＩＩＩ−ＩＩＩ’ラインに沿って切断した断面図である。
【０１９４】
図１１、図１９、及び図２０を参照すると、有機発光表示装置１００は第２右側ファン−アウト配線４０２及び第３縦ダミーパターン６０３をさらに含むことができる。
【０１９５】
第１平坦化層１２７０上に第２右側ファン−アウト配線４０２及び第３縦ダミーパターン６０３が配置できる。即ち、第２右側ファン−アウト配線４０２及び第３縦ダミーパターン６０３は同一の層に配置できる。第２右側ファン−アウト配線４０２及び第３縦ダミーパターン６０３の各々は、金属、合金、金属窒化物、導電性金属酸化物、透明導電性物質などを含むことができる。これらは単独で、または互いに組み合わせて使われることができる。第２右側ファン−アウト配線４０２及び第３縦ダミーパターン６０３は、同一の物質を使用して同時に形成できる。任意選択的に、第２右側ファン−アウト配線４０２及び第３縦ダミーパターン６０３の各々は複数の層を含む多層構造で構成されることもできる。
【０１９６】
有機発光表示装置１００の平面図で、第２右側ファン−アウト配線４０２は第１平坦化層１２７０上で第１方向（Ｄ１）に沿って延長する縦延長部及び第２方向（Ｄ２）に沿って延長する横延長部を含むことができる。第２右側ファン−アウト配線４０２は図５のデータ信号（ＤＡＴＡ）の供給を受けることができ、第３右側信号配線５２３にデータ信号（ＤＡＴＡ）を伝達することができる。
【０１９７】
有機発光表示装置１００の平面図で、第３縦ダミーパターン６０３は第１平坦化層１２７０上で第３右側ファン−アウト配線４０３の前記縦延長部から第１方向（Ｄ１）に離隔して前記縦延長部が延長する方向と実質的に同一に配置できる。第３縦ダミーパターン６０３は互いに離隔して第１方向（Ｄ１）に沿って配列できる。例示的な実施形態において、第３縦ダミーパターン６０３の間に第２右側ファン−アウト配線４０２の前記横延長部及び第１右側ファン−アウト配線４０１の横延長部が介在できる。また、第３縦ダミーパターン６０３の下に高電源電圧配線１２９０が位置することができ、第１右側ファン−アウト配線４０１の一部（例えば、前記縦延長部）は高電源電圧配線１２９０と重畳することができる。任意選択的に、第３縦ダミーパターン６０３はコンタクトホールを通じて高電源電圧配線１２９０（または、初期化電圧配線１１４０）と電気的に連結されることもできる。このような場合、第３縦ダミーパターン６０３に図５の高電源電圧（ＥＬＶＤＤ）が印加できる。他の例示的な実施形態において、第３縦ダミーパターン６０３のうち、隣接した少なくとも２つの第３縦ダミーパターンは一体形成されることもできる。前記第３縦ダミーパターンが一体形成されても右側ファン−アウト配線４００と直接的に接触しない。
【０１９８】
図２１は図１１の有機発光表示装置の“Ｅ”領域を拡大図示したレイアウト図であり、図２２は図２１の有機発光表示装置をＩＶ−ＩＶ’ラインに沿って切断した断面図である。
【０１９９】
図１１、図２１、及び図２２を参照すると、有機発光表示装置１００は第３右側ファン−アウト配線４０３及び第４横ダミーパターン７０４をさらに含むことができる
【０２００】
第１平坦化層１２７０上に第３右側ファン−アウト配線４０３及び第４横ダミーパターン７０４が配置できる。即ち、第３右側ファン−アウト配線４０３及び第４横ダミーパターン７０４は同一の層に配置できる。第３右側ファン−アウト配線４０３及び第４横ダミーパターン７０４の各々は金属、合金、金属窒化物、導電性金属酸化物、透明導電性物質などを含むことができる。これらは単独で、または互いに組み合わせて使われることができる。第３右側ファン−アウト配線４０３及び第４横ダミーパターン７０４は、同一の物質を使用して同時に形成できる。任意選択的に、第３右側ファン−アウト配線４０３及び第４横ダミーパターン７０４の各々は複数の層を含む多層構造で構成されることもできる。
【０２０１】
有機発光表示装置１００の平面図で、第３右側ファン−アウト配線４０３は第１平坦化層１２７０上で第１方向（Ｄ１）に沿って延長する縦延長部及び第２方向（Ｄ２）に沿って延長する横延長部を含むことができる。例示的な実施形態において、前記縦延長部の下に高電源電圧配線１２９０が位置することができ、第３右側ファン−アウト配線４０３の一部（例えば、前記縦延長部）は高電源電圧配線１２９０と重畳することができる。第３右側ファン−アウト配線４０３は図５のデータ信号（ＤＡＴＡ）の供給を受けることができ、第２右側信号配線５２２にデータ信号（ＤＡＴＡ）を伝達することができる。
【０２０２】
有機発光表示装置１００の平面図で、第４横ダミーパターン７０４は、第１平坦化層１２７０上で第４右側ファン−アウト配線４０４の前記横延長部から第３方向（Ｄ３）に離隔して前記横延長部が延びる方向と実質的に同一に配置できる。第４横ダミーパターン７０４は、互いに離隔して第３方向（Ｄ３）に沿って配列できる。
【０２０３】
例示的な実施形態において、第４横ダミーパターン７０４同士の間に、第１右側ファン−アウト配線４０１の前記縦延長部、第２右側ファン−アウト配線４０２の前記縦延長部、及び第３右側ファン−アウト配線４０３の前記縦延長部が介在できる。他の例示的な実施形態において、第４横ダミーパターン７０４のうち、隣接した少なくとも２つの第３縦ダミーパターンは一体形成されることもできる。前記第３縦ダミーパターンが一体形成されても右側ファン−アウト配線４００と直接的に接触しない。
【０２０４】
このように、サブ画素回路領域５０の各々に、前記縦ダミーパターン、前記横ダミーパターン、前記サブ縦ダミーパターン、及び前記サブ横ダミーパターンのうち、少なくとも１つが配置できる。また、サブ画素回路領域５０の各々における、前記縦ダミーパターン、前記横ダミーパターン、前記サブ縦ダミーパターン、及び前記サブ横ダミーパターンにより、ダミーパターン６００は表示領域４０で格子形状を有することができる。
【０２０５】
本発明の例示的な実施形態に従う有機発光表示装置１００は、ダミーパターン６００を含むことによって、ダミーパターン６００が、右側ファン−アウト配線４００及び左側ファン−アウト配線５００と共に、表示領域４０にて格子パターン形状を有することができる。これによって、有機発光表示装置１００に、右側ファン−アウト配線４００及び左側ファン−アウト配線５００の各々の折曲部によるパターン及び／又はむらが視認されないのでありうる。また、ダミーパターン６００がコンタクトホールを通じて高電源電圧配線１２９０と電気的に連結される場合、高電源電圧配線１２９０の配線抵抗が低くなりうる。さらに、ダミーパターン６００に定電圧が印加されることによって、電圧レベルが変化する配線を遮蔽（shielding）することができる。
【０２０６】
図２３は、本発明の例示的な実施形態に従う有機発光表示装置を示す平面図である。図２４は、図２３の有機発光表示装置の“Ｆ”領域を拡大図示した平面図である。図２３及び図２４に例示した有機発光表示装置９００は右側及び左側ファン−アウト配線４００、５００の形状を除外すれば、図１乃至図２２を参照して説明した有機発光表示装置１００と実質的に同一または類似の構成を有することができる。図２３及び図２４において、図１乃至図２２を参照して説明した構成要素と実質的に同一または類似の構成要素に対する重複説明は省略する。例えば、説明の便宜のために、図２３の表示領域４０には右側ファン−アウト配線４００、左側ファン−アウト配線５００、及びダミーパターン６００のみ図示されており、図２４の表示領域４０には右側ファン−アウト配線４００及びダミーパターン６００のみ図示されている。
【０２０７】
図６、図２３、及び図２４を参照すると、中央信号配線５１０、右側信号配線５２０、及び左側信号配線５３０上に右側ファン−アウト配線４００、左側ファン−アウト配線５００、及びダミーパターン６００が配置できる。
【０２０８】
右側ファン−アウト配線４００は基板上のパッド領域６０の一部、第１サブ表示領域１０、及び第２サブ表示領域２０に配置されることができ、右側ファン−アウト配線４００の各々は折曲部を含むことができる。例えば、右側ファン−アウト配線４００の各々は、縦延長部、横延長部、及びサブ縦延長部を含むことができる。ここで、前記縦延長部は、パッド領域６０の一部及び第１サブ表示領域１０に配置されることができ、第１方向（Ｄ１）に沿って延長することができる。また、前記横延長部は第１サブ表示領域１０に位置する前記縦延長部の第１端部から第２方向（Ｄ２）に沿って延長することができる。例えば、前記縦延長部の第２端部はパッド領域６０に位置することができ、前記縦延長部の前記第２端部は逆の前記第１端部は前記横延長部の第１端部と連結できる。前記横延長部の前記第１端部とは逆の第２端部は前記サブ縦延長部と連結できる。前記サブ縦延長部は、第２サブ表示領域２０に位置する前記横延長部の前記第２端部から第４方向（Ｄ４）に延長することができる。例えば、前記サブ縦延長部の第１端部は前記横延長部の前記第２端部と連結されることができ、前記サブ縦延長部の前記第１端部とは逆の第２端部は、右側ファン−アウト配線４００のうちの１つの右側ファン−アウト配線とコンタクトホールを通じて連結できる。
【０２０９】
例示的な実施形態において、前記縦延長部は、前記サブ縦延長部と実質的に互いに平行であるうるのであり、前記縦延長部の第１方向（Ｄ１）への長さは前記サブ縦延長部の第１方向（Ｄ１）への長さより長いのでありうる。また、右側ファン−アウト配線４００のコンタクトホールは、第２サブ表示領域２０の下端（例えば、第２サブ表示領域２０のうちのパッド領域６０に隣接した部分）に位置することができ、左側ファン−アウト配線５００のコンタクトホールは、第３サブ表示領域３０の下端に位置することができる。ここで、有機発光表示装置９００は、第２サブ表示領域２０及び第３サブ表示領域３０の各々の下端（駆動入力側の端部）に配置された前記コンタクトホールをカバーするブラックマトリックスをさらに含むことができる。このような場合、前記コンタクトホールが、有機発光表示装置９００のユーザから視認されないのでありうる。
【０２１０】
図２４に図示したように、右側ファン−アウト配線４００は、第１乃至第４右側ファン−アウト配線４０１、４０２、４０３、４０４を含むことができる。第１右側ファン−アウト配線４０１は第１右側信号配線５２１と第１コンタクトホール７２１を通じて連結されることができ、第２右側ファン−アウト配線４０２は第２右側信号配線５２２と第２コンタクトホール７２２を通じて連結されることができ、第３右側ファン−アウト配線４０３は第３右側信号配線５２３と第３コンタクトホール７２３を通じて連結されることができ、第４右側ファン−アウト配線４０４は第４右側信号配線５２４と第４コンタクトホール７２４を通じて連結できる。第１乃至第４右側ファン−アウト配線４０１、４０２、４０３、４０４の各々のサイズは逐次に減少するのでありうる。
【０２１１】
例示的な実施形態において、右側ファン−アウト配線４００の各々において、前記縦延長部の前記第１端部と前記横延長部の前記第１端部、及び前記横延長部の前記第２端部と前記サブ縦延長部の前記第１端部により折曲部が構成されることができ、前記縦延長部、前記横延長部、及びサブ縦延長部は一体形成できる。任意選択的に、右側ファン−アウト配線４００がパッド領域６０に配置されないこともある。
【０２１２】
左側ファン−アウト配線５００は、前記基板上のパッド領域６０の一部、第１サブ表示領域１０、及び第３サブ表示領域３０に配置されることができ、左側ファン−アウト配線５００の各々は折曲部を含むことができる。例えば、左側ファン−アウト配線５００の各々は、縦延長部、横延長部、及びサブ縦延長部を含むことができる。ここで、前記縦延長部は、パッド領域６０の一部及び第１サブ表示領域１０に配置されることができ、第１方向（Ｄ１）に沿って延長することができる。また、前記横延長部は、第１サブ表示領域１０に位置する前記縦延長部の第１端部から第３方向（Ｄ３）に沿って延長することができる。例えば、前記縦延長部の第２端部はパッド領域６０に位置することができ、前記縦延長部の前記第２端部とは逆の前記第１端部は前記横延長部の第１端部と連結できる。前記横延長部における前記第１端部とは逆の第２端部は、前記サブ縦延長部と連結できる。前記サブ縦延長部は第３サブ表示領域３０に位置する前記横延長部の前記第２端部から第４方向（Ｄ４）へと延長することができる。例えば、前記サブ縦延長部の第１端部は前記横延長部の前記第２端部と連結されることができ、前記サブ縦延長部の前記第１端部とは逆の第２端部は左側ファン−アウト配線５００のうちの１つの左側ファン−アウト配線とコンタクトホールを通じて連結できる。
【０２１３】
例えば、左側ファン−アウト配線５００は第１乃至第４左側ファン−アウト配線を含むことができる。前記第１左側ファン−アウト配線は前記第１左側信号配線と第５コンタクトホールを通じて連結されることができ、前記第２左側ファン−アウト配線は前記第２左側信号配線と第６コンタクトホールを通じて連結されることができ、前記第３左側ファン−アウト配線は前記第３左側信号配線と第７コンタクトホールを通じて連結されることができ、前記第４左側ファン−アウト配線は前記第４左側信号配線と第８コンタクトホールを通じて連結できる。前記第１乃至第４左側ファン−アウト配線の各々のサイズは逐次に減少するのでありうる。
【０２１４】
例示的な実施形態において、左側ファン−アウト配線５００の各々において、前記縦延長部の前記第１端部と前記横延長部の前記第１端部、及び、前記横延長部の前記第２端部と前記サブ縦延長部の前記第１端部により、折曲部が構成されることができ、前記縦延長部、前記横延長部、及び前記サブ縦延長部は一体形成できる。また、右側ファン−アウト配線４００と左側ファン−アウト配線５００は互いに対称でありえる。任意選択的に、左側ファン−アウト配線５００がパッド領域６０に配置されないこともある。
【０２１５】
ダミーパターン６００が第１サブ表示領域１０、第２サブ表示領域２０、及び第３サブ表示領域３０で右側ファン−アウト配線４００及び左側ファン−アウト配線５００と離隔して配置できる。ダミーパターン６００は格子形状を有することができる。ダミーパターン６００は、複数の縦ダミーパターン、複数の横ダミーパターン、複数のサブ縦ダミーパターン、及び複数のサブ横ダミーパターンを含むことができる。
【０２１６】
ダミーパターン６００の前記縦ダミーパターンは右側ファン−アウト配線４００及び左側ファン−アウト配線５００の各々の前記縦延長部から第１方向（Ｄ１）に離隔して配置されることができ、第１方向（Ｄ１）に沿って互いに離隔して配列できる。ダミーパターン６００の前記横ダミーパターンは、右側ファン−アウト配線４００の各々の前記横延長部から第３方向（Ｄ３）及び第２方向（Ｄ２）に離隔して配置されることができ、第３方向（Ｄ３）及び第２方向（Ｄ２）に沿って互いに離隔して配列できる。また、ダミーパターン６００の前記横ダミーパターンは、左側ファン−アウト配線５００の各々の前記横延長部から第２方向（Ｄ２）及び第３方向（Ｄ３）に離隔して配置されることができ、第２方向（Ｄ２）及び第３方向（Ｄ３）に沿って互いに離隔して配列できる。
【０２１７】
例えば、図８に図示したように、前記縦ダミーパターンは第１乃至第８縦ダミーパターン６０１、６０２、６０３、６０４、６０５、６０６、６０７、６０８を含むことができ、前記横ダミーパターンは第１乃至第４横ダミーパターン７０１、７０２、７０３、７０４を含むことができる。
【０２１８】
第１縦ダミーパターン６０１は第１右側ファン−アウト配線４０１の縦延長部から第１方向（Ｄ１）に離隔して配置されることができ、第１方向（Ｄ１）（例えば、前記縦延長部が延長する方向と実質的に同一の方向）に沿って互いに離隔して配列できる。
【０２１９】
第８縦ダミーパターン６０８は第１右側ファン−アウト配線４０１のサブ縦延長部から第１方向（Ｄ１）に離隔して配置されることができ、第１方向（Ｄ１）（例えば、前記サブ縦延長部が延長する方向と実質的に同一の方向）に沿って互いに離隔して配列できる。
【０２２０】
第２縦ダミーパターン６０２は第２右側ファン−アウト配線４０２の縦延長部から第１方向（Ｄ１）に離隔して配置されることができ、第１方向（Ｄ１）（例えば、前記縦延長部が延長する方向と実質的に同一の方向）に沿って互いに離隔して配列できる。ここで、第２縦ダミーパターン６０２は、第１右側ファン−アウト配線４０１の前記横延長部と離隔できる。言い換えると、第２縦ダミーパターン６０２同士の間に、第１右側ファン−アウト配線４０１の前記横延長部が介在できる。
【０２２１】
第７縦ダミーパターン６０７は、第２右側ファン−アウト配線４０２のサブ縦延長部から第１方向（Ｄ１）に離隔して配置されることができ、第１方向（Ｄ１）（例えば、前記サブ縦延長部が延長する方向と実質的に同一の方向）に沿って互いに離隔して配列できる。ここで、第７縦ダミーパターン６０２は第１右側ファン−アウト配線４０１の前記横延長部と離隔できる。言い換えると、第７縦ダミーパターン６０７同士の間に、第１右側ファン−アウト配線４０１の前記横延長部が介在できる。
【０２２２】
第３縦ダミーパターン６０３は、第３右側ファン−アウト配線４０３の縦延長部から第１方向（Ｄ１）に離隔して配置されることができ、第１方向（Ｄ１）（例えば、前記縦延長部が延長する方向と実質的に同一の方向）に沿って互いに離隔して配列できる。ここで、第３縦ダミーパターン６０３は第１右側ファン−アウト配線４０１の前記横延長部及び第２右側ファン−アウト配線４０２の前記横延長部と離隔できる。言い換えると、第３縦ダミーパターン６０３同士の間に、第１右側ファン−アウト配線４０１の前記横延長部及び第２右側ファン−アウト配線４０２の前記横延長部が介在できる。
【０２２３】
第６縦ダミーパターン６０６は、第３右側ファン−アウト配線４０３のサブ縦延長部から第１方向（Ｄ１）に離隔して配置されることができ、第１方向（Ｄ１）（例えば、前記サブ縦延長部が延長する方向と実質的に同一の方向）に沿って互いに離隔して配列できる。ここで、第６縦ダミーパターン６０６は、第１右側ファン−アウト配線４０１の前記横延長部及び第２右側ファン−アウト配線４０２の前記横延長部と離隔できる。言い換えると、第６縦ダミーパターン６０６同士の間に第１右側ファン−アウト配線４０１の前記横延長部及び第２右側ファン−アウト配線４０２の前記横延長部が介在できる。
【０２２４】
第４縦ダミーパターン６０４は、第４右側ファン−アウト配線４０４の縦延長部から第１方向（Ｄ１）に離隔して配置されることができ、第１方向（Ｄ１）（例えば、前記縦延長部が延長する方向と実質的に同一の方向）に沿って互いに離隔して配列できる。ここで、第４縦ダミーパターン６０４は第１右側ファン−アウト配線４０１の前記横延長部、第２右側ファン−アウト配線４０２の前記横延長部、及び第３右側ファン−アウト配線４０３の横延長部と離隔できる。言い換えると、第４縦ダミーパターン６０４の間に第１右側ファン−アウト配線４０１の前記横延長部、第２右側ファン−アウト配線４０２の前記横延長部、及び第３右側ファン−アウト配線４０３の横延長部が介在できる。
【０２２５】
第５縦ダミーパターン６０５は第４右側ファン−アウト配線４０４のサブ縦延長部から第１方向（Ｄ１）に離隔して配置されることができ、第１方向（Ｄ１）（例えば、前記サブ縦延長部が延長する方向と実質的に同一の方向）に沿って互いに離隔して配列できる。ここで、第５サブ縦ダミーパターン６０５は、第１右側ファン−アウト配線４０１の前記横延長部、第２右側ファン−アウト配線４０２の前記横延長部、及び第３右側ファン−アウト配線４０３の横延長部と離隔できる。言い換えると、第５縦ダミーパターン６０５同士の間に、第１右側ファン−アウト配線４０１の前記横延長部、第２右側ファン−アウト配線４０２の前記横延長部、及び第３右側ファン−アウト配線４０３の横延長部が介在できる。
【０２２６】
第１横ダミーパターン７０１は第１右側ファン−アウト配線４０１の前記横延長部から第３方向（Ｄ３）に離隔して配置されることができ、第３方向（Ｄ３）に沿って互いに離隔して配列できる。任意選択的に、第１横ダミーパターン７０１は第１右側ファン−アウト配線４０１の前記横延長部から第２方向（Ｄ２）に離隔して配置され、第２方向（Ｄ２）に互いに離隔して配列される横ダミーパターンをさらに含むこともできる。但し、図２４には１つの横ダミーパターンが図示されているが、サブ縦ダミーパターン８０１と第１右側ファン−アウト配線４０１との間に少なくとも２つの第１横ダミーパターンが配置できる。
【０２２７】
第２横ダミーパターン７０２は、第２右側ファン−アウト配線４０２の前記横延長部から第３方向（Ｄ３）及び第２方向（Ｄ２）に離隔して配置されることができ、第３方向（Ｄ３）及び第２方向（Ｄ２）に沿って互いに離隔して配列できる。ここで、第２横ダミーパターン７０２は、第１右側ファン−アウト配線４０１の前記縦延長部及び前記サブ縦延長部と離隔できる。言い換えると、第２横ダミーパターン７０２同士の間に、第１右側ファン−アウト配線４０１の前記縦延長部及び前記サブ縦延長部が介在できる。
【０２２８】
第３横ダミーパターン７０３は、第３右側ファン−アウト配線４０３の前記横延長部から第３方向（Ｄ３）及び第２方向（Ｄ２）に離隔して配置されることができ、第３方向（Ｄ３）及び第２方向（Ｄ２）に沿って互いに離隔して配列できる。ここで、第３横ダミーパターン７０３は、第２右側ファン−アウト配線４０２の前記縦延長部及び前記サブ縦延長部、そして第１右側ファン−アウト配線４０１の前記縦延長部、及び前記サブ縦延長部と離隔できる。言い換えると、第３横ダミーパターン７０３同士の間に、第２右側ファン−アウト配線４０２の前記縦延長部及び前記サブ縦延長部、そして第１右側ファン−アウト配線４０１の前記縦延長部、及び前記サブ縦延長部が介在できる。
【０２２９】
第４横ダミーパターン７０４は、第４右側ファン−アウト配線４０４の前記横延長部から第３方向（Ｄ３）及び第２方向（Ｄ２）に離隔して配置されることができ、第３方向（Ｄ３）及び第２方向（Ｄ２）に沿って互いに離隔して配列できる。ここで、第４横ダミーパターン７０４は第３右側ファン−アウト配線４０３の前記縦延長部、及び前記サブ縦延長部、第２右側ファン−アウト配線４０２の前記縦延長部、及び前記サブ縦延長部、そして第１右側ファン−アウト配線４０１の前記縦延長部、及びサブ縦延長部と離隔できる。言い換えると、第４横ダミーパターン７０４の間に第３右側ファン−アウト配線４０３の前記縦延長部及び前記サブ縦延長部、第２右側ファン−アウト配線４０２の前記縦延長部及び前記サブ縦延長部、そして第１右側ファン−アウト配線４０１の前記縦延長部及びサブ縦延長部が介在できる。
【０２３０】
また、前記縦ダミーパターンは第９乃至第１６縦ダミーパターンをさらに含むことができ、前記横ダミーパターンは第５乃至第８横ダミーパターンをさらに含むことができる。
【０２３１】
前記第９縦ダミーパターンは、前記第１左側ファン−アウト配線の縦延長部から第１方向（Ｄ１）に離隔して配置されることができ、第１方向（Ｄ１）（例えば、前記縦延長部が延長する方向と実質的に同一の方向）に沿って互いに離隔して配列できる。
【０２３２】
前記第１６縦ダミーパターンは、前記第１左側ファン−アウト配線のサブ縦延長部から第１方向（Ｄ１）に離隔して配置されることができ、第１方向（Ｄ１）（例えば、前記サブ縦延長部が延長する方向と実質的に同一の方向）に沿って互いに離隔して配列できる。
【０２３３】
前記第１０縦ダミーパターンは、前記第２左側ファン−アウト配線の縦延長部から第１方向（Ｄ１）に離隔して配置されることができ、第１方向（Ｄ１）（例えば、前記縦延長部が延長する方向と実質的に同一の方向）に沿って互いに離隔して配列できる。ここで、前記第１０縦ダミーパターンは前記第１左側ファン−アウト配線の横延長部と離隔できる。言い換えると、前記第１０縦ダミーパターンの間に前記第１左側ファン−アウト配線の前記横延長部が介在できる。
【０２３４】
前記第１５縦ダミーパターンは、前記第２左側ファン−アウト配線のサブ縦延長部から第１方向（Ｄ１）に離隔して配置されることができ、第１方向（Ｄ１）（例えば、前記サブ縦延長部が延長する方向と実質的に同一の方向）に沿って互いに離隔して配列できる。ここで、前記第１５縦ダミーパターンは、前記第１左側ファン−アウト配線の横延長部と離隔できる。言い換えると、前記第１５縦ダミーパターン同士の間に前記第１左側ファン−アウト配線の前記横延長部が介在できる。
【０２３５】
前記第１１縦ダミーパターンは、前記第３左側ファン−アウト配線の縦延長部から第１方向（Ｄ１）に離隔して配置されることができ、第１方向（Ｄ１）（例えば、前記縦延長部が延長する方向と実質的に同一の方向）に沿って互いに離隔して配列できる。ここで、前記第１１縦ダミーパターンは、前記第１左側ファン−アウト配線の前記横延長部及び前記第２左側ファン−アウト配線の前記横延長部と離隔できる。言い換えると、前記第１１縦ダミーパターン同士の間に、前記第１左側ファン−アウト配線の前記横延長部及び前記第２左側ファン−アウト配線の前記横延長部が介在できる。
【０２３６】
前記第１４縦ダミーパターンは、前記第３左側ファン−アウト配線のサブ縦延長部から第１方向（Ｄ１）に離隔して配置されることができ、第１方向（Ｄ１）（例えば、前記サブ縦延長部が延長する方向と実質的に同一の方向）に沿って互いに離隔して配列できる。ここで、前記第１４縦ダミーパターンは、前記第１左側ファン−アウト配線の前記横延長部及び前記第２左側ファン−アウト配線の前記横延長部と離隔できる。言い換えると、前記第１４縦ダミーパターン同士の間に、前記第１左側ファン−アウト配線の前記横延長部及び前記第２左側ファン−アウト配線の前記横延長部が介在できる。
【０２３７】
前記第１２縦ダミーパターンは、前記第４左側ファン−アウト配線の縦延長部から第１方向（Ｄ１）に離隔して配置されることができ、第１方向（Ｄ１）（例えば、前記縦延長部が延長する方向と実質的に同一の方向）に沿って互いに離隔して配列できる。ここで、第１２縦ダミーパターンは前記第１左側ファン−アウト配線の前記横延長部、前記第２左側ファン−アウト配線の前記横延長部、及び前記第３左側ファン−アウト配線の前記横延長部と離隔できる。言い換えると、前記第１２縦ダミーパターン同士の間に、前記第１左側ファン−アウト配線の前記横延長部、前記第２左側ファン−アウト配線の前記横延長部、及び前記第３左側ファン−アウト配線の横延長部が介在できる。
【０２３８】
前記第１３縦ダミーパターンは、前記第４左側ファン−アウト配線のサブ縦延長部から第１方向（Ｄ１）に離隔して配置されることができ、第１方向（Ｄ１）（例えば、前記サブ縦延長部が延長する方向と実質的に同一の方向）に沿って互いに離隔して配列できる。ここで、第１３縦ダミーパターンは、前記第１左側ファン−アウト配線の前記横延長部、前記第２左側ファン−アウト配線の前記横延長部、及び前記第３左側ファン−アウト配線の前記横延長部と離隔できる。言い換えると、前記第１３縦ダミーパターン同士の間に、前記第１左側ファン−アウト配線の前記横延長部、前記第２左側ファン−アウト配線の前記横延長部、及び前記第３左側ファン−アウト配線の横延長部が介在できる。
【０２３９】
前記第５横ダミーパターンは、前記第１左側ファン−アウト配線の前記横延長部から第３方向（Ｄ３）に離隔して配置されることができ、第３方向（Ｄ３）に沿って互いに離隔して配列できる。任意選択的に、前記第５横ダミーパターンは、前記第１左側ファン−アウト配線の前記横延長部から第２方向（Ｄ２）に離隔して配置され、第２方向（Ｄ２）に互いに離隔して配列される横ダミーパターンをさらに含むこともできる。但し、図２３には１つの第５横ダミーパターンが図示されているが、サブ縦ダミーパターン８０１と前記第１左側ファン−アウト配線との間に少なくとも２つの第１横ダミーパターンが配置できる。
【０２４０】
前記第６横ダミーパターンは、前記第２左側ファン−アウト配線の前記横延長部から第２方向（Ｄ２）及び第３方向（Ｄ３）に離隔して配置されることができ、第２方向（Ｄ２）及び第３方向（Ｄ３）に沿って互いに離隔して配列できる。ここで、前記第６横ダミーパターンは、前記第１左側ファン−アウト配線の前記縦延長部及び前記サブ縦延長部と離隔できる。言い換えると、前記第６横ダミーパターン同士の間に、前記第１左側ファン−アウト配線の前記縦延長部及び前記サブ縦延長部が介在できる。
【０２４１】
前記第７横ダミーパターンは、前記第３左側ファン−アウト配線の前記横延長部から第２方向（Ｄ２）及び第３方向（Ｄ３）に離隔して配置されることができ、第２方向（Ｄ２）及び第３方向（Ｄ３）に沿って互いに離隔して配列できる。ここで、前記第７横ダミーパターンは、前記第２左側ファン−アウト配線の前記縦延長部及び前記サブ縦延長部、そして前記第１右側ファン−アウト配線の前記縦延長部及び前記サブ縦延長部と離隔できる。言い換えると、前記第７横ダミーパターン同士の間に、前記第２左側ファン−アウト配線の前記縦延長部及び前記サブ縦延長部、そして前記第１右側ファン−アウト配線の前記縦延長部及び前記サブ縦延長部が介在できる。
【０２４２】
前記第８横ダミーパターンは、前記第４左側ファン−アウト配線の前記横延長部から第２方向（Ｄ２）及び第３方向（Ｄ３）に離隔して配置されることができ、第２方向（Ｄ２）及び第３方向（Ｄ３）に沿って互いに離隔して配列できる。ここで、前記第８横ダミーパターンは、前記第３左側ファン−アウト配線の前記縦延長部及び前記サブ縦延長部、前記第２左側ファン−アウト配線の前記縦延長部及び前記サブ縦延長部、そして前記第１左側ファン−アウト配線の前記縦延長部及び前記サブ縦延長部と離隔できる。言い換えると、前記第８横ダミーパターン同士の間に、前記第３左側ファン−アウト配線の前記縦延長部及び前記サブ縦延長部、前記第２左側ファン−アウト配線の前記縦延長部及び前記サブ縦延長部、そして前記第１左側ファン−アウト配線の前記縦延長部及び前記サブ縦延長部が介在できる。
【０２４３】
ダミーパターン６００の前記サブ横ダミーパターンは、右側ファン−アウト配線４００及び左側ファン−アウト配線５００の各々の横延長部から第１方向（Ｄ１）に離隔して配置されることができ、第３方向（Ｄ３）に沿って互いに離隔して配列できる。第３方向（Ｄ３）に沿って互いに離隔して配列された前記サブ横ダミーパターンは、第１方向（Ｄ１）に互いに離隔して反復的に配列できる。
【０２４４】
例えば、図２４に図示したように、サブ横ダミーパターン９０１が第１右側ファン−アウト配線４０１の前記横延長部から第１方向（Ｄ１）に離隔して配置されることができ、第３方向（Ｄ３）に沿って互いに離隔して配列できる。第３方向（Ｄ３）に沿って互いに離隔して配列されたサブ横ダミーパターン９０１は、第１方向（Ｄ１）に離隔して反復的に配列できる。
【０２４５】
ダミーパターン６００の前記サブ縦ダミーパターンは、右側ファン−アウト配線４００と左側ファン−アウト配線５００の間に配置できる。言い換えると、前記サブ縦ダミーパターンは、右側ファン−アウト配線４００から第３方向（Ｄ３）に離隔して配置、または左側ファン−アウト配線５００から第２方向（Ｄ２）に離隔して配置できる。
【０２４６】
例えば、図２４に図示したように、右側ファン−アウト配線４００と左側ファン−アウト配線５００の間にサブ縦ダミーパターン８０１が配置されることができ、第１方向（Ｄ１）に互いに離隔して配列できる。サブ縦ダミーパターン８０１を基準に、サブ縦ダミーパターン８０１の左側に配置されたダミーパターン６００とサブ縦ダミーパターン８０１の右側に配置されたダミーパターン６００は互いに対称でありえる。また、サブ縦ダミーパターン８０１を基準に、右側ファン−アウト配線４００と左側ファン−アウト配線５００は互いに対称でありえる。
【０２４７】
前述したように、ダミーパターン６００が複数の縦ダミーパターン、複数の横ダミーパターン、複数のサブ縦ダミーパターン、及び複数のサブ横ダミーパターンを含むことによって、表示領域４０で格子形状を有することができる。
【０２４８】
但し、例示的な実施形態において、中央信号配線５１０が１３個の配線を含み、右側信号配線５２０、左側信号配線５３０、右側ファン−アウト配線４００、及び左側ファン−アウト配線５００の各々が４個の配線を含むものとして説明したが、本発明の構成がこれに限定されるのではない。
【０２４９】
例えば、右側ファン−アウト配線４００は、第１乃至第Ｍ（但し、Ｍは１以上の整数）右側ファン−アウト配線を含むことができ、前記第１乃至第Ｍ右側ファン−アウト配線は順通りに互いに離隔して配列できる。ここで、前記第１乃至第Ｍ右側ファン−アウト配線は逐次配線の全長が減ることができる。前記第１乃至第Ｍ右側ファン−アウト配線のうち、第Ｋ（但し、Ｋは１とＭの間の整数）右側ファン−アウト配線は、パッド領域６０及び第１サブ表示領域１０に配置され、第１方向（Ｄ１）に沿って延長する縦延長部、第１サブ表示領域１０に位置する前記縦延長部の第１端部から第２方向（Ｄ２）に沿って延長する横延長部、及び、前記横延長部の第２端部から前記第１方向とは逆の第４方向に沿って延長するサブ縦延長部を含むことができる。
【０２５０】
前記第Ｋ右側ファン−アウト配線の前記縦延長部の第２端部は、パッド領域６０に位置することができ、前記第Ｋ右側ファン−アウト配線の前記縦延長部の前記第２端部とは逆の前記第１端部は前記横延長部の第１端部と連結できる。また、前記横延長部の第１端部は前記縦延長部と連結されることができ、前記横延長部の前記第１端部とは逆の前記第２端部は前記サブ縦延長部の前記第１端部と連結できる。
【０２５１】
右側信号配線５２０は、第１乃至第Ｎ（但し、Ｎは１以上の整数）右側信号配線を含むことができ、前記第１乃至第Ｎ右側信号配線は逆順で配列され、互いに離隔して配置できる。ここで、第１サブ表示領域１０と第２サブ表示領域２０の境界と隣接して、前記第Ｍ右側ファン−アウト配線及び前記第Ｎ右側信号配線が配置できる。
【０２５２】
前記第１乃至第Ｍ右側ファン−アウト配線のうち、前記第Ｋ右側ファン−アウト配線の前記サブ縦延長部は、前記第１乃至第Ｎ右側信号配線のうち、第Ｌ（但し、Ｌは１とＮの間の整数）右側信号配線とコンタクトホールを通じて連結できる。ここで、ＫとＬは同一の整数でありえ、前記コンタクトホールは前記サブ縦延長部の前記第１端部に反対になる第２端部に形成できる。即ち、前記コンタクトホールは第２サブ表示領域２０の下端（駆動入力側の端部）に位置することができる。
【０２５３】
前記Ｋ右側ファン−アウト配線の前記縦延長部の前記第１端部及び横延長部の前記第１端部、並びに、前記横延長部の第２端部及び前記サブ縦延長部の第１端部により、前記折曲部が構成されることができ、前記第Ｋ右側ファン−アウト配線の前記縦延長部、前記横延長部、及び前記サブ縦延長部は一体形成できる。
【０２５４】
前記第Ｋ右側ファン−アウト配線の前記縦延長部は、前記第Ｋ右側ファン−アウト配線の前記サブ縦延長部と互いに平行でありうるのであり、前記縦延長部の第１方向（Ｄ１）への長さは前記サブ縦延長部の第１方向（Ｄ１）への長さより長いのでありうる。
【０２５５】
前記第Ｋ右側ファン−アウト配線の前記縦延長部、前記横延長部、及び前記サブ縦延長部の内側に空いた空間が形成されることができ、前記空いた空間は第１方向（Ｄ１）に陥没した形状を有することができ、前記空いた空間に、前記第１乃至第Ｍ右側ファン−アウト配線のうち、第Ｋ＋１右側ファン−アウト配線が配置できる。
【０２５６】
ダミーパターン６００は、第１乃至第Ｐ（但し、Ｐは１以上の整数）ダミーパターンを含むことができる。前記第１乃至第Ｐダミーパターンのうち、第Ｊ（但し、Ｊは１とＮの間の整数）ダミーパターンは前記第Ｋ右側ファン−アウト配線の縦延長部から第１方向（Ｄ１）に離隔して配置され、第１方向（Ｄ１）に沿って互いに離隔して配列される複数の縦ダミーパターン、及び前記第Ｋ右側ファン−アウト配線の横延長部から第３方向（Ｄ３）に離隔して配置され、第３方向（Ｄ３）に沿って互いに離隔して配列される複数の横ダミーパターンを含むことができる。
【０２５７】
前記第Ｊダミーパターンは、前記第Ｋ右側ファン−アウト配線の縦延長部から第３方向（Ｄ３）に離隔して配置され、第１方向（Ｄ１）に沿って互いに離隔して配列される複数のサブ縦ダミーパターン、及び前記第Ｋ右側ファン−アウト配線の横延長部から第１方向（Ｄ１）に離隔して配置され、第３方向（Ｄ３）に沿って互いに離隔して配列される複数のサブ横ダミーパターンをさらに含むことができる。
【０２５８】
また、例示的な実施形態において、ダミーパターン６００が互いに離隔するものとして説明したが、本発明の構成がこれに限定されるのではない。例えば、他の例示的な実施形態において、ダミーパターン６００のうち、互いに隣接して位置する少なくとも２つのダミーパターン６００が一体形成されることもできる。
【０２５９】
表示領域４０は複数のサブ画素回路領域５０を含むことができ、サブ画素回路領域５０の各々に、前記縦ダミーパターン、前記横ダミーパターン、前記サブ縦ダミーパターン、及び前記サブ横ダミーパターンのうち、少なくとも１つが配置できる。
【０２６０】
サブ画素回路領域５０の各々における、前記縦ダミーパターン、前記横ダミーパターン、前記サブ縦ダミーパターン、及び前記サブ横ダミーパターンにより、ダミーパターン６００は表示領域４０にて格子形状を有することができる。
【０２６１】
本発明の例示的な実施形態に従う有機発光表示装置９００は、ダミーパターン６００を含むことによって、ダミーパターン６００は、右側ファン−アウト配線４００及び左側ファン−アウト配線５００と共に、表示領域４０に全体的に格子パターン形状を具現することができる。このような場合、有機発光表示装置１００にパターン及び／又はむらが視認されないのでありうる。これによって、有機発光表示装置１００の視認性が相対的に向上できる。また、右側ファン−アウト配線４００のコンタクトホールが第２サブ表示領域２０の下端（駆動入力側の端部）に位置し、左側ファン−アウト配線５００のコンタクトホールが第３サブ表示領域３０の下端に位置することによって、有機発光表示装置９００の視認性が相対的に増加できる。
【０２６２】
前述したところでは、本発明の例示的な実施形態を参照して説明したが、該当技術分野で通常の知識を有する者であれば、下記の特許請求範囲に記載された本発明の思想及び領域から逸脱しない範囲内で本発明を多様に修正及び変更させることができることを理解することができる。
【産業上の利用可能性】
【０２６３】
本発明は、有機発光表示装置を備えることができる多様なディスプレイ機器に適用できる。例えば、本発明は車両用、船舶用、及び航空機用ディスプレイ装置、携帯用通信装置、展示用または情報伝達用ディスプレイ装置、医療用ディスプレイ装置などの数多いディスプレイ機器に適用可能である。
【符号の説明】
【０２６４】
１０    第１サブ表示領域        ２０    第２サブ表示領域
３０    第３サブ表示領域        ４０    表示領域
６０    パッド領域              １００、９００    有機発光表示装置
１０１    外部装置              １５０    基板
４００    右側ファン−アウト配線
４０１、４０２、４０３、４０４  第１乃至第４右側ファン−アウト配線
４７０    パッド電極            ５００    左側ファン−アウト配線
５１０    中央信号配線          ５２０    右側信号配線
５３０    左側信号配線          ６００    ダミーパターン
６０１、６０２、６０３、６０４    第１乃至第４縦ダミーパターン
７０１、７０２、７０３、７０４    第１乃至第４横ダミーパターン
８０１    サブ縦ダミーパターン  ９０１    サブ横ダミーパターン
１１００    アクティブパターン  １１０５    第１ゲート電極
１１１０    第１ゲート配線      １１１５    第２ゲート配線
１１２０    第３ゲート配線      １１３０    第２ゲート電極
１１４０    初期化電圧配線      １１５０    導電パターン
１１６０    ゲート絶縁層        １１９０    第１層間絶縁層
１１９１    データ配線          １１９５    第２層間絶縁層
１２００    サブ画素構造物      １２３０    第１連結パターン
１２７０  第１平坦化層          １２７５  第２平坦化層
１２９０  高電源電圧配線        １２９１  下部電極
１３１０    画素区画膜          １３３０    発光層
１３４０    上部電極            １３９０    第３連結パターン
１３９５    連結電極            １４３０    第２連結パターン
１４５０    封止基板
【図１】
2022500684.tif 000003
【図２】
2022500684.tif 000004
【図３】
2022500684.tif 000005
【図４】
2022500684.tif 000006
【図５】
2022500684.tif 000007
【図６】
2022500684.tif 000008
【図７】
2022500684.tif 000009
【図８】
2022500684.tif 000010
【図９】
2022500684.tif 000011
【図１０】
2022500684.tif 000012
【図１１】
2022500684.tif 000013
【図１２】
2022500684.tif 000014
【図１３】
2022500684.tif 000015
【図１４】
2022500684.tif 000016
【図１５】
2022500684.tif 000017
【図１６】
2022500684.tif 000018
【図１７】
2022500684.tif 000019
【図１８】
2022500684.tif 000020
【図１９】
2022500684.tif 000021
【図２０】
2022500684.tif 000022
【図２１】
2022500684.tif 000023
【図２２】
2022500684.tif 000024
【図２３】
2022500684.tif 000025
【図２４】
2022500684.tif 000026
【国際調査報告】
2022500684.tif 000027
2022500684.tif 000028
2022500684.tif 000029
2022500684.tif 000030